(57)【特許請求の範囲】
【請求項１】
電気掃除機本体に着脱される集塵容器であって、
一方面に空気および塵埃を取り込む吸込口が形成され、他方面側は開放されているケースと、
一端部がヒンジを介して前記ケースに連結されていて、前記ケースの他方面側を開いた開位置と前記ケースの他方面側を閉じた閉位置との間で前記ヒンジを中心に回動可能であり、前記閉位置において、前記ケースの他方面側から流れ出る空気は通過させるが、塵埃は捕獲するフィルタ装置と、
を有し、
前記フィルタ装置には、通気性メッシュで形成され、前記閉位置において前記ケースの他方面側に対向し、ティッシュペーパーが載せられる対向面が設けられ、
前記対向面は、
固定部分と、
前記固定部分に回動可能に連結され、前記フィルタ装置が前記閉位置から前記開位置まで回動するのに応じて、前記固定部分へ接近するように回動して前記対向面上のティッシュペーパーを袋状に折り畳むための回動部分と、
を有することを特徴とする、電気掃除機用集塵容器。
【請求項２】
前記回動部分において前記連結から最も離れた端部に設けられた係合部と、
前記固定部分において前記連結から最も離れた端部に設けられ、前記回動部分が前記固定部分へ接近するように回動したときに前記係合部に係合される被係合部と、
を含み、前記回動部分が前記固定部分へ接近するように回動したときに、前記回動部分によって袋状に折り畳まれたティッシュペーパーの周縁部を前記係合部および前記被係合部で挟んで綴じる綴じ部を有することを特徴とする、請求項１記載の電気掃除機用集塵容器。
【請求項３】
前記ケースに設けられたガイドレールと、
前記回動部分において前記連結から最も離れた端部に設けられ、前記フィルタ装置が前記閉位置にあるときには前記ガイドレールの一端部に嵌っていて、前記フィルタ装置が前記閉位置から前記開位置へ向かう途中にあるときには前記ガイドレールに嵌った状態で前記ガイドレールに沿って前記ガイドレールの他端部側へ移動することによって前記回動部分を前記固定部分へ接近するように回動させ、前記フィルタ装置が前記開位置に到達すると前記ガイドレールの他端部から外れるガイド軸と、
を有することを特徴とする、請求項１または２記載の電気掃除機用集塵容器。
【請求項４】
前記ガイド軸が前記ガイドレールの他端部から外れたときに、前記回動部分を前記固定部分から離れる方向へ回動するように付勢する第１付勢部材を有することを特徴とする、請求項３記載の電気掃除機用集塵容器。
【請求項５】
前記対向面は、空気の流れ方向下流側へ向けて窪んでいることを特徴とする、請求項１〜４のいずれかに記載の電気掃除機用集塵容器。
【請求項６】
電気掃除機本体に着脱される集塵容器であって、
一方面に空気および塵埃を取り込む吸込口が形成され、他方面側は開放されているケースと、
一端部がヒンジを介して前記ケースに連結されていて、前記ケースの他方面側を開いた開位置と前記ケースの他方面側を閉じた閉位置との間で前記ヒンジを中心に回動可能であり、前記閉位置において、前記ケースの他方面側から流れ出る空気は通過させるが、塵埃は捕獲するフィルタ装置と、
前記フィルタ装置に設けられ、通気性メッシュで形成されており、前記フィルタ装置が前記閉位置にあるときにおいて前記ケースの他方面側に対向し、空気の流れ方向下流側へ向けて窪んでいて、窪み部分に沿うようにティッシュペーパーが装着される対向面と、
前記フィルタ装置が前記閉位置にあるときに前記吸込口に連通する入口と前記対向面に臨む出口とを有する管状であり、前記窪み部分において前記入口側を中心に回動可能となるように前記フィルタ装置に支持されており、前記対向面に装着されたティッシュペーパーを前記対向面に押し付ける第１押付部が前記出口側に設けられているとともに、別のティッシュペーパーを受け止めて前記ケースの内面に押し付けることができる第２押付部が前記入口側に設けられた流路部材と、
を有することを特徴とする、電気掃除機用集塵容器。
【請求項７】
前記対向面の周縁部に設けられた係合部と、
前記ケースの前記他方面側の周縁部に設けられ、前記フィルタ装置が前記閉位置まで回動したときに前記係合部に係合される被係合部と、
を含み、前記フィルタ装置が前記閉位置まで回動したときに、前記窪み部分に沿うように装着されたティッシュペーパーの周縁部と前記第２押付部に受け止められた別のティッシュペーパーの周縁部とを前記係合部および前記被係合部で挟んで綴じる綴じ部を有することを特徴とする、請求項６記載の電気掃除機用集塵容器。
【請求項８】
前記吸込口に挿通された状態で、前記ケース外に突出した第１位置と前記ケース内に突出した第２位置とに移動可能となるように前記ケースに支持された第１カット部材であって、
前記集塵容器が前記電気掃除機本体に装着されたときに前記第２位置へ移動して、前記第２押付部に受け止められているティッシュペーパーにおいて前記入口にかかっている部分をそれ以外の部分から切断する第１カット部材を有することを特徴とする、請求項６または７記載の電気掃除機用集塵容器。
【請求項９】
前記第２押付部は、軟質材で形成されていることを特徴とする、請求項８記載の電気掃除機用集塵容器。
【請求項１０】
前記フィルタ装置が前記閉位置から前記開位置へ向けて回動したときに、前記第１押付部が前記対向面から離れる方向へ前記流路部材を付勢する第２付勢部材を有することを特徴とする、請求項６〜９のいずれかに記載の電気掃除機用集塵容器。
【請求項１１】
前記ケースの内面に設けられ、前記第２押付部に受け止められたティッシュペーパーと前記ケースの内面との間に、前記対向面につながる空間ができるように当該ティッシュペーパーを押さえるリブを有することを特徴とする、請求項６〜１０のいずれかに記載の電気掃除機用集塵容器。
【請求項１２】
電気掃除機本体に着脱される集塵容器であって、
一方面に空気および塵埃を取り込む吸込口が形成され、他方面側は開放されているケースと、
一端部がヒンジを介して前記ケースに連結されていて、前記ケースの他方面側を開いた開位置と前記ケースの他方面側を閉じた閉位置との間で前記ヒンジを中心に回動可能であり、前記閉位置において、前記ケースの他方面側から流れ出る空気は通過させるが、塵埃は捕獲するフィルタ装置と、
前記フィルタ装置に設けられ、前記フィルタ装置が前記閉位置にあるときにおいて前記ケースの他方面側に対向し、空気の流れ方向下流側へ向けて窪んだ対向面と、
前記ケースの他方面側と前記対向面との間に位置するように前記対向面の窪み部分に収容され、前記ケースの他方面側に対向する位置に開口を有するバスタブ状であり、前記開口から端部がはみ出るように内部形状に沿ってティッシュペーパーが立体的に装着されるとともに、前記開口に蓋をするように別のティッシュペーパーが装着されるバスケット部と、
を有することを特徴とする、電気掃除機用集塵容器。
【請求項１３】
前記バスケット部において前記開口を縁取る部分および／または前記対向面の周縁部に設けられた係合部と、
前記ケースの前記他方面側の周縁部に設けられ、前記フィルタ装置が前記閉位置まで回動したときに前記係合部に係合される被係合部と、
を含み、前記フィルタ装置が前記閉位置まで回動したときに、前記バスケット部の内部形状に沿って装着されたティッシュペーパーの周縁部と前記開口に蓋をしているティッシュペーパーの周縁部とを前記係合部および前記被係合部で挟んで綴じる綴じ部を有することを特徴とする、請求項１２記載の電気掃除機用集塵容器。
【請求項１４】
前記ケースの内面において前記吸込口を縁取りつつ他方面側へ突出するように設けられ、前記フィルタ装置が前記開位置から前記閉位置まで回動するときに、前記開口に蓋をしているティッシュペーパーにおいて前記開口を覆っている部分に穴をあける第２カット部材を有することを特徴とする、請求項１２または１３記載の電気掃除機用集塵容器。
【発明の詳細な説明】
【技術分野】
【０００１】
この発明は、電気掃除機用集塵容器に関する。
【背景技術】
【０００２】
電気掃除機の掃除機本体は、一般に、塵埃を集める電気掃除機用集塵容器（以下では、単に「集塵容器」という。）および電動送風機等を備えている（特許文献１参照）。
特許文献１に記載の集塵容器は、吸込口が形成されて空気の流れ方向下流側に開放面を有するケースと、通気性メッシュで形成された捕獲領域を有し、ヒンジ構造を介してケースに連結されるフィルタ装置とで構成されている。フィルタ装置は、ヒンジ構造を中心に回動することで、ケースの開放面を開閉することができる。フィルタ装置がケースの開放面を閉じたとき、フィルタ装置の捕獲領域がケースの開放面に対向する。
【０００３】
そして、特許文献１に記載の集塵容器では、ケースの開放面とフィルタ装置の捕獲領域とによって、１枚のティッシュペーパーが挟持される。電動送風機を駆動させると、吸込口を介して空気がケース内に流入し、この空気に含まれる塵埃は、ティッシュペーパーおよびフィルタ装置の捕獲領域の通気性メッシュを、この順番で通過しようとする。ここで、ティッシュペーパーは、空気の流れ方向に見て、通気性メッシュの上流側に位置するので、塵埃は、通気性メッシュに到達する前にティッシュペーパーによって捕獲されることとなり、通気性メッシュの早期目詰まりを抑制することができる。これにより、通気性メッシュのメンテナンス性の向上を図ることができる。
【０００４】
そして、捕獲領域が上を向くようにフィルタ装置を回動させてケースの開放面を開くと、捕獲領域には、塵埃を捕獲したティッシュペーパーが載った状態となり、この状態でフィルタ装置を傾けると、捕獲領域からごみ箱にティッシュペーパーを滑り落として捨てることができる。
【先行技術文献】
【特許文献】
【０００５】
【特許文献１】特開２００９−１８１０７号公報
【発明の概要】
【発明が解決しようとする課題】
【０００６】
特許文献１に記載の集塵容器では、捕獲領域が上を向くようにフィルタ装置を回動させてケースの開放面を開くと、捕獲領域に載ったティッシュペーパーが水平方向にほぼ平坦となっている。この状態では、ティッシュペーパーに捕獲されてティッシュペーパー上に溜まった塵埃の位置が安定せず、ちょっとした弾みで、塵埃がティッシュペーパーから舞い上がって周囲に飛散してしまう虞がある。
【０００７】
この発明は、かかる背景のもとでなされたもので、塵埃を捕獲するためにティッシュペーパーを用いる構成において、ごみ捨ての際にティッシュペーパーから塵埃が舞い上がることを防止できる電気掃除機用集塵容器を提供することを目的とする。
【課題を解決するための手段】
【０００８】
請求項１記載の発明は、電気掃除機本体に着脱される集塵容器であって、一方面に空気および塵埃を取り込む吸込口が形成され、他方面側は開放されているケースと、一端部がヒンジを介して前記ケースに連結されていて、前記ケースの他方面側を開いた開位置と前記ケースの他方面側を閉じた閉位置との間で前記ヒンジを中心に回動可能であり、前記閉位置において、前記ケースの他方面側から流れ出る空気は通過させるが、塵埃は捕獲するフィルタ装置と、を有し、前記フィルタ装置には、通気性メッシュで形成され、前記閉位置において前記ケースの他方面側に対向し、ティッシュペーパーが載せられる対向面が設けられ、前記対向面は、固定部分と、前記固定部分に回動可能に連結され、前記フィルタ装置が前記閉位置から前記開位置まで回動するのに応じて、前記固定部分へ接近するように回動して前記対向面上のティッシュペーパーを袋状に折り畳むための回動部分と、を有することを特徴とする、電気掃除機用集塵容器である。
【０００９】
請求項２記載の発明は、前記回動部分において前記連結から最も離れた端部に設けられた係合部と、前記固定部分において前記連結から最も離れた端部に設けられ、前記回動部分が前記固定部分へ接近するように回動したときに前記係合部に係合される被係合部と、を含み、前記回動部分が前記固定部分へ接近するように回動したときに、前記回動部分によって袋状に折り畳まれたティッシュペーパーの周縁部を前記係合部および前記被係合部で挟んで綴じる綴じ部を有することを特徴とする、請求項１記載の電気掃除機用集塵容器である。
【００１０】
請求項３記載の発明は、前記ケースに設けられたガイドレールと、前記回動部分において前記連結から最も離れた端部に設けられ、前記フィルタ装置が前記閉位置にあるときには前記ガイドレールの一端部に嵌っていて、前記フィルタ装置が前記閉位置から前記開位置へ向かう途中にあるときには前記ガイドレールに嵌った状態で前記ガイドレールに沿って前記ガイドレールの他端部側へ移動することによって前記回動部分を前記固定部分へ接近するように回動させ、前記フィルタ装置が前記開位置に到達すると前記ガイドレールの他端部から外れるガイド軸と、を有することを特徴とする、請求項１または２記載の電気掃除機用集塵容器である。
【００１１】
請求項４記載の発明は、前記ガイド軸が前記ガイドレールの他端部から外れたときに、前記回動部分を前記固定部分から離れる方向へ回動するように付勢する第１付勢部材を有することを特徴とする、請求項３記載の電気掃除機用集塵容器である。
請求項５記載の発明は、前記対向面は、空気の流れ方向下流側へ向けて窪んでいることを特徴とする、請求項１〜４のいずれかに記載の電気掃除機用集塵容器である。
【００１２】
請求項６記載の発明は、電気掃除機本体に着脱される集塵容器であって、一方面に空気および塵埃を取り込む吸込口が形成され、他方面側は開放されているケースと、一端部がヒンジを介して前記ケースに連結されていて、前記ケースの他方面側を開いた開位置と前記ケースの他方面側を閉じた閉位置との間で前記ヒンジを中心に回動可能であり、前記閉位置において、前記ケースの他方面側から流れ出る空気は通過させるが、塵埃は捕獲するフィルタ装置と、前記フィルタ装置に設けられ、通気性メッシュで形成されており、前記フィルタ装置が前記閉位置にあるときにおいて前記ケースの他方面側に対向し、空気の流れ方向下流側へ向けて窪んでいて、窪み部分に沿うようにティッシュペーパーが装着される対向面と、前記フィルタ装置が前記閉位置にあるときに前記吸込口に連通する入口と前記対向面に臨む出口とを有する管状であり、前記窪み部分において前記入口側を中心に回動可能となるように前記フィルタ装置に支持されており、前記対向面に装着されたティッシュペーパーを前記対向面に押し付ける第１押付部が前記出口側に設けられているとともに、別のティッシュペーパーを受け止めて前記ケースの内面に押し付けることができる第２押付部が前記入口側に設けられた流路部材と、を有することを特徴とする、電気掃除機用集塵容器である。
【００１３】
請求項７記載の発明は、前記対向面の周縁部に設けられた係合部と、前記ケースの前記他方面側の周縁部に設けられ、前記フィルタ装置が前記閉位置まで回動したときに前記係合部に係合される被係合部と、を含み、前記フィルタ装置が前記閉位置まで回動したときに、前記窪み部分に沿うように装着されたティッシュペーパーの周縁部と前記第２押付部に受け止められた別のティッシュペーパーの周縁部とを前記係合部および前記被係合部で挟んで綴じる綴じ部を有することを特徴とする、請求項６記載の電気掃除機用集塵容器である。
【００１４】
請求項８記載の発明は、前記吸込口に挿通された状態で、前記ケース外に突出した第１位置と前記ケース内に突出した第２位置とに移動可能となるように前記ケースに支持された第１カット部材であって、前記集塵容器が前記電気掃除機本体に装着されたときに前記第２位置へ移動して、前記第２押付部に受け止められているティッシュペーパーにおいて前記入口にかかっている部分をそれ以外の部分から切断する第１カット部材を有することを特徴とする、請求項６または７記載の電気掃除機用集塵容器である。
【００１５】
請求項９記載の発明は、前記第２押付部は、軟質材で形成されていることを特徴とする、請求項８記載の電気掃除機用集塵容器である。
請求項１０記載の発明は、前記フィルタ装置が前記閉位置から前記開位置へ向けて回動したときに、前記第１押付部が前記対向面から離れる方向へ前記流路部材を付勢する第２付勢部材を有することを特徴とする、請求項６〜９のいずれかに記載の電気掃除機用集塵容器である。
【００１６】
請求項１１記載の発明は、前記ケースの内面に設けられ、前記第２押付部に受け止められたティッシュペーパーと前記ケースの内面との間に、前記対向面につながる空間ができるように当該ティッシュペーパーを押さえるリブを有することを特徴とする、請求項６〜１０のいずれかに記載の電気掃除機用集塵容器である。
請求項１２記載の発明は、電気掃除機本体に着脱される集塵容器であって、一方面に空気および塵埃を取り込む吸込口が形成され、他方面側は開放されているケースと、一端部がヒンジを介して前記ケースに連結されていて、前記ケースの他方面側を開いた開位置と前記ケースの他方面側を閉じた閉位置との間で前記ヒンジを中心に回動可能であり、前記閉位置において、前記ケースの他方面側から流れ出る空気は通過させるが、塵埃は捕獲するフィルタ装置と、前記フィルタ装置に設けられ、前記フィルタ装置が前記閉位置にあるときにおいて前記ケースの他方面側に対向し、空気の流れ方向下流側へ向けて窪んだ対向面と、前記ケースの他方面側と前記対向面との間に位置するように前記対向面の窪み部分に収容され、前記ケースの他方面側に対向する位置に開口を有するバスタブ状であり、前記開口から端部がはみ出るように内部形状に沿ってティッシュペーパーが立体的に装着されるとともに、前記開口に蓋をするように別のティッシュペーパーが装着されるバスケット部と、を有することを特徴とする、電気掃除機用集塵容器である。
【００１７】
請求項１３記載の発明は、前記バスケット部において前記開口を縁取る部分および／または前記対向面の周縁部に設けられた係合部と、前記ケースの前記他方面側の周縁部に設けられ、前記フィルタ装置が前記閉位置まで回動したときに前記係合部に係合される被係合部と、を含み、前記フィルタ装置が前記閉位置まで回動したときに、前記バスケット部の内部形状に沿って装着されたティッシュペーパーの周縁部と前記開口に蓋をしているティッシュペーパーの周縁部とを前記係合部および前記被係合部で挟んで綴じる綴じ部を有することを特徴とする、請求項１２記載の電気掃除機用集塵容器である。
【００１８】
請求項１４記載の発明は、前記ケースの内面において前記吸込口を縁取りつつ他方面側へ突出するように設けられ、前記フィルタ装置が前記開位置から前記閉位置まで回動するときに、前記開口に蓋をしているティッシュペーパーにおいて前記開口を覆っている部分に穴をあける第２カット部材を有することを特徴とする、請求項１２または１３記載の電気掃除機用集塵容器である。
【発明の効果】
【００１９】
請求項１記載の発明によれば、電気掃除機本体に着脱される集塵容器は、一方面に吸込口が形成されて他方面側が開放されているケースと、フィルタ装置とを有している。
フィルタ装置は、一端部がヒンジを介してケースに連結されており、ケースの他方面側を開いた開位置とケースの他方面側を閉じた閉位置との間でヒンジを中心に回動可能である。集塵容器において、空気および塵埃は、吸込口からケース内に取り込まれてケースの他方面側から流れ出るのだが、この際、閉位置にあるフィルタ装置が、空気は通過させるが、塵埃は捕獲する。
【００２０】
フィルタ装置には、閉位置においてケースの他方面側に対向する対向面が設けられていて、この対向面は、通気性メッシュで形成されている。閉位置にあるフィルタ装置では、対向面の通気性メッシュが塵埃を捕獲する。
そして、この対向面には、ティッシュペーパーが載せられるので、対向面の通気性メッシュに先立って、ティッシュペーパーが塵埃を捕獲することができる。これにより、通気性メッシュの早期目詰りを抑制できる。そして、フィルタ装置を開位置まで回動させてティッシュペーパーを捨てれば、ティッシュペーパーが捕獲した塵埃も一緒に捨てることができる。
【００２１】
ここで、この対向面は、固定部分と、固定部分に回動可能に連結された回動部分とを有している。固定部分は、フィルタ装置が閉位置から開位置まで回動するのに応じて、固定部分へ接近するように回動して対向面上のティッシュペーパーを袋状に折り畳む。これにより、ティッシュペーパーに捕獲された塵埃は、ティッシュペーパーの袋の内部に溜まる。
【００２２】
そのため、ティッシュペーパーに捕獲された塵埃は、ごみ捨ての際に、ティッシュペーパーの袋の内部に溜まった状態で捨てられるので、ティッシュペーパーから塵埃が舞い上がることを防止できる。
請求項２記載の発明によれば、集塵容器が有する綴じ部は、回動部分において固定部分との連結から最も離れた端部に設けられた係合部と、固定部分において前記連結から最も離れた端部に設けられた被係合部とを含んでいる。被係合部は、回動部分が固定部分へ接近するように回動したときに係合部に係合される。
【００２３】
ここで、フィルタ装置の開位置までの回動に応じて回動部分が固定部分へ接近するように回動したときに、綴じ部は、回動部分によって袋状に折り畳まれたティッシュペーパーの周縁部を係合部および被係合部で挟んで綴じる。これにより、ティッシュペーパーの袋の内部に溜まった塵埃がティッシュペーパーの袋の内部に閉じ込められるので、ティッシュペーパーから塵埃が舞い上がることを確実に防止できる。
【００２４】
請求項３記載の発明によれば、ケースには、ガイドレールが設けられ、回動部分において前記連結から最も離れた端部には、ガイド軸が設けられている。
ガイド軸は、フィルタ装置が閉位置にあるときにはガイドレールの一端部に嵌っていて、フィルタ装置が閉位置から開位置へ向かう途中にあるときにはガイドレールに嵌った状態でガイドレールに沿ってガイドレールの他端部側へ移動することによって回動部分を固定部分へ接近するように回動させる。これにより、フィルタ装置を閉位置から開位置へ回動させれば、これに連動して回動部分が固定部分へ接近するように回動することによって、フィルタ装置の対向面上のティッシュペーパーを自動的に袋状に折り畳むことができ、使い勝手がよい。
【００２５】
そして、ガイド軸は、フィルタ装置が開位置に到達するとガイドレールの他端部から外れるので、ガイド軸を有する回動部分は、フィルタ装置が閉位置にあったときの元の位置（固定部分から離れた位置）へ戻ることができる。
請求項４記載の発明によれば、フィルタ装置が開位置に到達してガイド軸がガイドレールの他端部から外れたときに、第１付勢部材が、回動部分を固定部分から離れる方向へ回動するように付勢するので、回動部分は、フィルタ装置が閉位置にあったときの元の位置へ確実に戻ることができる。
【００２６】
請求項５記載の発明によれば、フィルタ装置の対向面は、空気の流れ方向下流側へ向けて窪んでいるので、捕獲した塵埃を確実に溜めることができる。さらに、対向面に載せられたティッシュペーパーが対向面に沿って窪んだ形状になることから、ティッシュペーパーが、捕獲した塵埃を確実に溜めることができるとともに、回動部分が固定部分へ接近するように回動したときに、ティッシュペーパーが袋状になりやすい。
【００２７】
請求項６記載の発明によれば、電気掃除機本体に着脱される集塵容器は、一方面に吸込口が形成されて他方面側が開放されているケースと、フィルタ装置とを有している。
フィルタ装置は、一端部がヒンジを介してケースに連結されており、ケースの他方面側を開いた開位置とケースの他方面側を閉じた閉位置との間でヒンジを中心に回動可能である。集塵容器において、空気および塵埃は、吸込口からケース内に取り込まれてケースの他方面側から流れ出るのだが、この際、閉位置にあるフィルタ装置が、空気は通過させるが、塵埃は捕獲する。
【００２８】
フィルタ装置には、閉位置においてケースの他方面側に対向する対向面が設けられていて、この対向面は、通気性メッシュで形成されている。閉位置にあるフィルタ装置では、対向面の通気性メッシュが塵埃を捕獲する。対向面は、空気の流れ方向下流側へ向けて窪んでいるので、捕獲した塵埃を確実に溜めることができる。
そして、この対向面には、窪み部分に沿うようにティッシュペーパーが装着されるので、対向面の通気性メッシュに先立って、ティッシュペーパーが塵埃を捕獲することができる。これにより、通気性メッシュの早期目詰りを抑制できる。ここで、対向面に装着されたティッシュペーパーが対向面の窪み部分に沿って窪んだ形状になることから、ティッシュペーパーは、捕獲した塵埃を確実に溜めることができる。そして、フィルタ装置を開位置まで回動させてティッシュペーパーを捨てれば、ティッシュペーパーが捕獲した塵埃も一緒に捨てることができる。
【００２９】
ここで、集塵容器は、流路部材を有している。流路部材は、フィルタ装置が閉位置にあるときに吸込口に連通する入口と対向面に臨む出口とを有する管状であり、対向面の窪み部分において入口側を中心に回動可能となるようにフィルタ装置に支持されている。
そして、流路部材では、出口側に設けられた第１押付部が、対向面に装着されたティッシュペーパーを対向面に押し付け、入口側に設けられた第２押付部が、別のティッシュペーパーを受け止めてケースの内面に押し付ける。これにより、フィルタ装置が閉位置にある状態では、流路部材が、対向面に装着されたティッシュペーパーと別のティッシュペーパーとの間に配置されることとなり、これら２枚のティッシュペーパーが、流路部材が配置される内部空間を有する袋状になる。この際、流路部材がティッシュペーパーの袋を対向面およびケースの内面に押し付けるので、ティッシュペーパーの袋は、袋状の形状を保ったまま位置決めされる。
【００３０】
この場合、吸込口からケース内に取り込まれた塵埃は、入口から流路部材内に入った後に出口からティッシュペーパーの袋の内部に流入し、このとき、ティッシュペーパーに捕獲されてティッシュペーパーの袋の内部に溜まる。
そのため、ティッシュペーパーに捕獲された塵埃は、ごみ捨ての際に、ティッシュペーパーの袋の内部に溜まった状態で捨てられるので、ティッシュペーパーから塵埃が舞い上がることを防止できる。
【００３１】
請求項７記載の発明によれば、集塵容器が有する綴じ部は、フィルタ装置の対向面の周縁部に設けられた係合部と、ケースの他方面側の周縁部に設けられた被係合部とを含んでいる。被係合部は、フィルタ装置が閉位置まで回動したときに係合部に係合される。
ここで、フィルタ装置が閉位置まで回動したときに、綴じ部は、対向面の窪み部分に沿うように装着されたティッシュペーパーの周縁部と流路部材の第２押付部に受け止められた別のティッシュペーパーの周縁部とを係合部および被係合部で挟んで綴じる。これにより、これらの２枚のティッシュペーパーによる袋の内部に溜まった塵埃が袋の内部に閉じ込められるので、ティッシュペーパーから塵埃が舞い上がることを確実に防止できる。
【００３２】
請求項８記載の発明によれば、集塵容器が有する第１カット部材は、ケースの吸込口に挿通された状態でケースに支持され、ケース外に突出した第１位置とケース内に突出した第２位置とに移動可能である。
第１カット部材は、集塵容器が電気掃除機本体に装着されたときに第２位置へ移動し、流路部材の第２押付部に受け止められているティッシュペーパーにおいて流路部材の入口にかかっている部分をそれ以外の部分から切断する。これにより、入口がティッシュペーパーによって塞がれなくなるので、吸込口からケース内に取り込まれた塵埃および空気を、入口から流路部材内を円滑に通過させてティッシュペーパーの袋の内部に流入させることができる。
【００３３】
ここで、入口側の第２押付部が、受け止めているティッシュペーパーをケースの内面に押し付けていることから、ティッシュペーパーにおいて入口にかかっている部分の位置が安定しているので、第１カット部材は、この部分を円滑に切断することができる。
請求項９記載の発明によれば、第２押付部は、軟質材で形成されているので、受け止めたティッシュペーパーをケースの内面に対して隙間なく押し付ける（密着させる）ことができる。これにより、吸込口からケース内に取り込まれた塵埃および空気がケースの内面とティッシュペーパーとの隙間に逃げ込むことを防止し、これらの塵埃および空気を、確実に入口から流路部材内を通過させてティッシュペーパーの袋の内部に流入させることができる。
【００３４】
また、軟質材で形成された第２押付部が、受け止めたティッシュペーパーをケースの内面に密着させるので、ティッシュペーパーにおいて入口にかかっている部分がずれにくくなり（第２押付部がこの部分の滑り止めになり）、前述した第１カット部材は、この部分を円滑に切断することができる。
請求項１０記載の発明によれば、集塵容器が有する第２付勢部材は、フィルタ装置が閉位置から開位置へ向けて回動したときに、第１押付部が対向面から離れる方向へ流路部材を付勢する。これにより、フィルタ装置が開位置にあるときには、第１押付部が、対向面に装着されたティッシュペーパーを対向面に押し付けなくなる。また、フィルタ装置が開位置にあるときには、フィルタ装置側の流路部材がケースの内面から離れるので、第２押付部が、別のティッシュペーパーをケースの内面に押し付けなくなる。
【００３５】
これにより、２枚のティッシュペーパーによる袋が集塵容器に位置決めされなくなるので、内部に塵埃が溜まったティッシュペーパーの袋を円滑に集塵容器から外して捨てることができる。
請求項１１記載の発明によれば、ケースの内面に設けられたリブが、第２押付部に受け止められたティッシュペーパーとケースの内面との間に、対向面につながる空間ができるように当該ティッシュペーパーを押さえる。
【００３６】
これにより、ティッシュペーパーの袋の内部に流入した空気は、第１押付部によって対向面に押し付けられたティッシュペーパーを通過して対向面に向かう第１の流路だけでなく、第２押付部に受け止められた別のティッシュペーパーを通過した後に前記空間を経由して対向面に向かう第２の流路も流れることができる。そのため、第１押付部によって対向面に押し付けられたティッシュペーパーだけでなく、第２押付部に受け止められた別のティッシュペーパーも、流れる空気に乗った塵埃を捕獲することができるので、ティッシュペーパーによる塵埃の捕獲効率の向上を図ることができる。
【００３７】
請求項１２記載の発明によれば、電気掃除機本体に着脱される集塵容器は、一方面に吸込口が形成されて他方面側が開放されているケースと、フィルタ装置とを有している。
フィルタ装置は、一端部がヒンジを介してケースに連結されており、ケースの他方面側を開いた開位置とケースの他方面側を閉じた閉位置との間でヒンジを中心に回動可能である。集塵容器において、空気および塵埃は、吸込口からケース内に取り込まれてケースの他方面側から流れ出るのだが、この際、閉位置にあるフィルタ装置が、空気は通過させるが、塵埃は捕獲する。
【００３８】
フィルタ装置には、閉位置においてケースの他方面側に対向する対向面が設けられている。閉位置にあるフィルタ装置では、対向面が塵埃を捕獲する。対向面は、空気の流れ方向下流側へ向けて窪んでいるので、捕獲した塵埃を確実に溜めることができる。
ここで、集塵容器は、ケースの他方面側と対向面との間に位置するように対向面の窪み部分に収容されるバスケット部を有している。バスケット部は、ケースの他方面側に対向する位置に開口を有するバスタブ状であり、開口から端部がはみ出るように内部形状に沿ってティッシュペーパーが立体的に装着されるとともに、開口に蓋をするように別のティッシュペーパーが装着される。
【００３９】
これにより、ケースの他方面側と対向面との間には、バスケット部に装着された２枚のティッシュペーパーによる袋が存在する。そのため、吸込口からケース内に取り込まれてケースの他方面側から流れ出た塵埃は、対向面に先立って、ティッシュペーパーの袋によって捕獲されて袋の内部に溜まる。これにより、対向面におけるフィルタ装置の早期目詰りを抑制できる。
【００４０】
そして、フィルタ装置を開位置まで回動させてティッシュペーパーの袋を捨てれば、ティッシュペーパーが捕獲した塵埃も一緒に捨てることができる。特に、ティッシュペーパーに捕獲された塵埃は、ごみ捨ての際に、ティッシュペーパーの袋の内部に溜まった状態で捨てられるので、ティッシュペーパーから塵埃が舞い上がることを防止できる。
請求項１３記載の発明によれば、集塵容器が有する綴じ部は、バスケット部において開口を縁取る部分および／または対向面の周縁部に設けられた係合部と、ケースの他方面側の周縁部に設けられた被係合部とを含んでいる。被係合部は、フィルタ装置が閉位置まで回動したときに係合部に係合される。
【００４１】
ここで、フィルタ装置が閉位置まで回動したときに、綴じ部は、バスケット部の内部形状に沿って装着されたティッシュペーパーの周縁部と開口に蓋をしているティッシュペーパーの周縁部とを係合部および被係合部で挟んで綴じる。これにより、これらの２枚のティッシュペーパーによる袋の内部に溜まった塵埃が袋の内部に閉じ込められるので、ティッシュペーパーから塵埃が舞い上がることを確実に防止できる。
【００４２】
請求項１４記載の発明によれば、ケースの内面において吸込口を縁取りつつ他方面側へ突出するように設けられた第２カット部材が、フィルタ装置が開位置から閉位置まで回動するときに、開口に蓋をしているティッシュペーパーにおいて開口を覆っている部分に穴をあける。これにより、吸込口からケース内に取り込まれた塵埃を、第２カット部材があけた穴を通過させることで、ティッシュペーパーの袋の内部に確実に溜めることができる。
【図面の簡単な説明】
【００４３】
【図１】この発明の一実施形態に係る電気掃除機１を右上前方から見た斜視図である。
【図２】電気掃除機１の右側断面図である。
【図３】この発明の第１の例に係る電気掃除機用集塵容器１０を右上前方から見た斜視図である。
【図４】電気掃除機用集塵容器１０の右側断面図である。
【図５】電気掃除機用集塵容器１０においてフィルタ装置２１をケース２０から離れるように回動させた状態を示している。
【図６】図４とは別の位置における電気掃除機用集塵容器１０の右側断面図であって、フィルタ装置２１を完全に閉じる直前の状態を示している。
【図７】図６においてフィルタ装置２１を完全に閉じた状態を示している。
【図８】図７においてフィルタ装置２１を開け始めた状態を示している。
【図９】図８においてフィルタ装置２１をさらに開いた状態を示している。
【図１０】図９とは別の位置における電気掃除機用集塵容器１０の右側断面図であって、図９と同じ状態を示している。
【図１１】図１０においてフィルタ装置２１が完全に開いた状態を示している。
【図１２】この発明の第２の例に係る電気掃除機用集塵容器１０を左上前方から見た斜視図である。
【図１３】電気掃除機用集塵容器１０においてフィルタ装置２１をケース２０から離れるように回動させた状態を示す斜視図である。
【図１４】図１３において流路部材６０をケース２０側に回動させた状態を示している。
【図１５】図１３において流路部材６０がティッシュペーパーＰを押さえ付けている状態を示している。
【図１６】（ａ）は、図１５においてフィルタ装置２１が閉じた状態における電気掃除機用集塵容器１０の正面図であり、（ｂ）は、（ａ）のＡ−Ａ矢視断面図である。
【図１７】図１５において流路部材６０に別のティッシュペーパーＱを載せた状態を示している。
【図１８】図１７においてフィルタ装置２１が閉じた状態を示している。
【図１９】（ａ）は、図１８の状態における電気掃除機用集塵容器１０の正面図であり、（ｂ）は、（ａ）のＢ−Ｂ矢視断面図である。
【図２０】電気掃除機本体２の右側断面図であって、図１９（ｂ）の状態における電気掃除機用集塵容器１０が電気掃除機本体２に装着される途中の状態を示している。
【図２１】図２０において電気掃除機用集塵容器１０が電気掃除機本体２に装着された状態を示している。
【図２２】電気掃除機本体２の運転中における電気掃除機用集塵容器１０の右側断面図である。
【図２３】塵埃が溜まった電気掃除機用集塵容器１０においてフィルタ装置２１をケース２０から離れるように回動させた状態を示している。
【図２４】図２３における電気掃除機用集塵容器１０の左側断面図である。
【図２５】図２４において電気掃除機用集塵容器１０から塵埃Ｔが捨てられる状態を示している。
【図２６】図２５の状態における電気掃除機用集塵容器１０の斜視図である。
【図２７】この発明の第３の例に係る電気掃除機用集塵容器１０を右上前方から見た斜視図である。
【図２８】電気掃除機用集塵容器１０においてフィルタ装置２１をケース２０から離れるように回動させた状態を示す斜視図である。
【図２９】図２８の状態にある電気掃除機用集塵容器１０においてバスケット部７５にティッシュペーパーＰをセットした状態を示している。
【図３０】図２９の状態にある電気掃除機用集塵容器１０においてバスケット部７５に別のティッシュペーパーＱを追加でセットした状態を示している。
【図３１】（ａ）は、図３０においてフィルタ装置２１が閉じた状態における電気掃除機用集塵容器１０の正面図であり、（ｂ）は、（ａ）のＣ−Ｃ矢視断面図である。
【図３２】図３１の状態にある電気掃除機用集塵容器１０においてフィルタ装置２１をケース２０から離れるように回動させた状態を示す斜視図である。
【図３３】図３２の状態にある電気掃除機用集塵容器１０の左側断面図であって、電気掃除機用集塵容器１０から塵埃Ｔが捨てられる状態を示している。
【発明を実施するための形態】
【００４４】
以下には、図面を参照して、この発明の実施形態について具体的に説明する。
＜電気掃除機の概要＞
図１は、この発明の一実施形態に係る電気掃除機１を右上前方から見た斜視図である。ここで、図１において、左下側を電気掃除機１の前側、右上側を電気掃除機１の後側、左上側を電気掃除機１の左側、右下側を電気掃除機１の右側として説明し、以降の説明においても、方向を特定する場合は、この方向に従って電気掃除機１（後述する電気掃除機用集塵容器１０も含む）の前後、左右および上下を特定する。なお、左右方向と幅方向とは同じである。
【００４５】
図１を参照して、電気掃除機１は、電気掃除機本体２、ホース３、パイプ（図示せず）および吸込具（図示せず）を含んでいる。
図２は、電気掃除機１の右側断面図である。
図２を参照して、電気掃除機本体２は、上下に所定の厚みを有して前後にやや長手のボックス形状である。電気掃除機本体２の左右両側面の後側には、車輪４が取り付けられている。電気掃除機本体２の底面の前側には、ローラ５が取り付けられている。車輪４およびローラ５が床面Ｘ上で転がることによって、電気掃除機本体２が床面Ｘ上を移動できる。
【００４６】
電気掃除機本体２の天面２Ａの後端部には、折畳ハンドル６が取り付けられている。折畳ハンドル６は、天面２Ａに沿う傾倒位置（実線で示す折畳ハンドル６を参照）と、天面２Ａから上方へ起き上がった起立位置（破線で示す折畳ハンドル６を参照）との間で回動自在である。折畳ハンドル６を起立位置まで回動させると（破線矢印参照）、折畳ハンドル６を掴むことができる。これにより、電気掃除機本体２を床面Ｘから浮かせて移動させることができる。
【００４７】
電気掃除機本体２において、前面には吸気口７が形成され、後面には、排気口８が形成されている。電気掃除機本体２内部には、吸気口７と排気口８とに連通する空気流路９が区画されている。空気流路９には、電気掃除機用集塵容器（以下では、「集塵容器」と省略していうことがある。）１０と、電動送風機１１とが、吸気口７→集塵容器１０→電動送風機１１→排気口８と並ぶように、配置されている。集塵容器１０は、たとえば電気掃除機本体２の天面２Ａの前側部分を開放することによって、電気掃除機本体２に対して上から着脱可能である。
【００４８】
ホース３は、可撓性を有する蛇腹ホースであり、任意の形態に曲げることができる。ホース３において、その一端（図１では後端）には、接続筒１２が連結されている。詳しくは、接続筒１２の内側にホース３の一端が収容されている。この状態で、ホース３の一端と接続筒１２とは、ほぼ同軸状をなしている。
接続筒１２は、吸気口７に対して前側から挿通されるとともに、集塵容器１０に連結されている。これにより、ホース３の内部が集塵容器１０の内部に連通している。
【００４９】
接続筒１２の上側外周面には、補助ハンドル１３が設けられている。前述した折畳ハンドル６とともに補助ハンドル１３を掴むことで電気掃除機本体２を容易に移動させることができる。
電気掃除機本体２の運転が開始されると、電動送風機１１が電力を受けて駆動されることによって、吸引力を発生する。この吸引力によって、床面Ｘ上の塵埃は、上述した吸込具（図示せず）内に吸い込まれ、吸込具、パイプ（図示せず）、ホース３をこの順で通過した後、吸気口７から電気掃除機本体２の空気流路９まで吸い込まれる。また、吸込具（図示せず）の周りの空気は、床面Ｘ上の塵埃とともに、空気流路９まで吸い込まれる。
【００５０】
そして、空気流路９まで吸い込まれた空気と塵埃とは、まず、集塵容器１０において分離される。これにより、塵埃が集塵容器１０に溜められる一方で、空気は、電動送風機１１によって、空気流路９において、空気の流れ方向における電動送風機１１の下流側へ吐き出される。吐き出された空気は、排気口８から機外へ排出される。
＜電気掃除機用集塵容器＞
次に、（電気掃除機用）集塵容器１０について説明する。ここで、この実施形態では、集塵容器１０について第１から第３までの３つの例があり、以下では、第１の例、第２の例、第３の例の順で、それぞれの例における集塵容器１０について説明する。
（１）第１の例
図３は、第１の例に係る集塵容器１０を右上前方から見た斜視図である。図４は、集塵容器１０の右側断面図である。図５は、集塵容器１０においてフィルタ装置２１をケース２０から離れるように回動させた状態を示している。
【００５１】
図３を参照して、集塵容器１０は、ケース２０とフィルタ装置２１とを有している。
ケース２０は、手前側の角が略直角をなすボックス形状である。ケース２０は、たとえば、透明または半透明の樹脂で形成されていて、その内部を透かして見ることができる。ケース２０の一方面である前面には、吸込口２２が形成されている。ケース２０の他方面側である背面側は開放されている。ケース２０の内面の幅方向両端部には、上下に細長く延びる板状のガイドレール１９が一体的に設けられている（図５参照）。左右のガイドレール１９の間に吸込口２２が位置している（図５参照）。
【００５２】
ケース２０の上面には、取っ手２３が設けられている。取っ手２３を掴むことで集塵容器１０全体を移動させることができる。
フィルタ装置２１は、ケース２０の他方面側（背面側）に取り付けられる。フィルタ装置２１は、樹脂製のフィルタフレームと、フィルタフレームにより保持される２種類のフィルタとを含んでいる。
【００５３】
具体的には、フィルタフレームは、２層構造であり、ケース２０の背面外周縁に接続される第１フィルタフレーム２４と、第１フィルタフレーム２４の背面に接続される第２フィルタフレーム２５とを有している。
第１フィルタフレーム２４および第２フィルタフレーム２５は、ともに、正面視で略四角形をなす枠体形状である。
【００５４】
フィルタ装置２１は、その一端部（第１フィルタフレーム２４の下端部）が、ケース２０の一端部（下端部）に対してヒンジ２６を介して連結されている。そのため、ヒンジ２６を中心にケース２０に対してフィルタ装置２１を回動させて、フィルタ装置２１を開閉することができる。換言すれば、フィルタ装置２１は、ケース２０の開放された背面側（前述した他方面側）を開いた開位置と、ケース２０の背面側を閉じた閉位置との間でヒンジ２６を中心に回動可能である。
【００５５】
図３および図４では、フィルタ装置２１が閉じて閉位置にある状態（集塵容器１０が完成した状態）が示されている。この状態で、フィルタ装置２１をケース２０から離れるように回動させると、図５に示すようにフィルタ装置２１が開いて開位置に至る。
図４を参照して、フィルタ装置２１の開閉に関連して、ケース２０における取っ手２３の後端側（図４では右端側）には、ボタン２７と、ボタン２７に対して一体的に設けられたフック２８とが備えられている。そして、第２フィルタフレーム２５の上端部にはフック受け２９が備えられている。フック受け２９には、フック受け２９を前後方向に貫通する係止孔３０が形成されている。
【００５６】
フック２８を係止孔３０に挿通させてからフック受け２９に係合することで、フィルタ装置２１を閉じた状態が維持される。一方、ボタン２７を押すことで、フック２８とフック受け２９との係合状態を解除して、フィルタ装置２１をケース２０に対して開く（開位置に配置する）ことができる（図５参照）。
第１フィルタフレーム２４には、フィルタユニット３１が配置されている。図４においてハッチングが施された部分がフィルタユニット３１の断面である。フィルタユニット３１は、枠体形状の第１フィルタフレーム２４の内側領域に配置されつつ、第１フィルタフレーム２４から前側（図４では左側）へはみ出ている。フィルタユニット３１は、閉じた状態（閉位置）にあるフィルタ装置２１においてケース２０の他方面側（背面側）に対向する。
【００５７】
図５を参照して、フィルタユニット３１は、支持枠３２と、回動部材３３とを含んでいる。
支持枠３２は、たとえば樹脂製であり、集塵容器１０での空気の流れ方向（図２の太い破線矢印参照）における下流側（図５では、紙面奥側）へ向って窪む凹状をなしている。図５の姿勢を基準として、支持枠３２の輪郭（外側周縁部）は、略矩形状をなしている。支持枠３２の一方側（図５では上側）周縁部３２Ａには、３つの貫通孔４１（被係合部）が、幅方向に間隔を隔てて形成されている。支持枠３２の凹状における最深部の幅方向両端には、幅方向に延びる連結軸３４が一体的に設けられている。
【００５８】
図５の姿勢を基準として、支持枠３２において、左右の連結軸３４と一方側周縁部３２Ａとの間の領域Ａは、ほぼ全域に亘って開放されていて、左右の連結軸３４と他方側（図５では下側）周縁部３２Ｂとの間の領域Ｂは、ほぼ全域に亘って開放されている。
支持枠３２には、前述した開放領域Ａを塞ぐように固定フィルタ３５（固定部分）が設けられている。固定フィルタ３５は、図５において右上へ延びる斜線のハッチングが施された部分であり、通気性メッシュで形成されている。ここで、前述した支持枠３２において貫通孔４１が設けられた部分は、固定フィルタ３５において連結軸３４から最も離れた端部である。
【００５９】
回動部材３３は、支持枠３２の前述した開放領域Ｂに設けられている。回動部材３３は、図５の姿勢を基準として下方へ窪む略Ｕ字形状の可動枠３６と、可動枠３６のＵ字の内側部分を塞ぐように可動枠３６に保持された回動フィルタ３７（回動部分）とを含んでいる。回動フィルタ３７は、図５において右下へ延びる斜線のハッチングが施された部分であり、通気性メッシュで形成されている。
【００６０】
可動枠３６は、幅方向から見て、後側へ膨出するように湾曲しており、回動フィルタ３７も、可動枠３６と同様に湾曲している（図４参照）。可動枠３６においてＵ字の底（図５では下端）をなす部分には、幅方向両端に、ガイド部材３８が一体的に設けられ、左右のガイド部材３８の間に、３つの突起３９（係合部）が、幅方向に間隔を隔てて一体的に設けられている。
【００６１】
これらのガイド部材３８および突起３９は、図５の姿勢において手前側へ突出するように設けられている。各ガイド部材３８は、幅方向に薄い板状であり、左側のガイド部材３８には、左側へ突出する円柱状のガイド軸４０が一体的に設けられ、右側のガイド部材３８には、右側へ突出する円柱状のガイド軸４０が一体的に設けられている。
Ｕ字状の可動枠３６において図５における左上側の端部３６Ａは、支持枠３２の左側の連結軸３４に連結されており、Ｕ字状の可動枠３６において図５における右上側の端部３６Ｂは、支持枠３２の右側の連結軸３４に連結されている。これにより、回動部材３３全体は、左右の連結軸３４を中心に回動することができる。ここから、回動部材３３の回動フィルタ３７は、支持枠３２に設けられた固定フィルタ３５に対して、連結軸３４を介して回動可能に連結されていることがわかる。また、可動枠３６においてガイド部材３８（ガイド軸４０も含む）および突起３９が設けられた部分は、回動フィルタ３７において、固定フィルタ３５と回動フィルタ３７との連結（前述した連結軸３４）から最も離れた端部である。
【００６２】
回動部材３３は、詳しくは、通常位置（図４および図５参照）と、回動位置（後述する図１０参照）との間で回動自在である。
回動部材３３が通常位置にあるとき、固定フィルタ３５と回動フィルタ３７とが連続し、これらがまとまって対向面４２となって、支持枠３２に沿って窪む凹状をなしている（図４も参照）。また、通常位置にある回動部材３３は、支持枠３２の前述した開放領域Ｂを塞いでいる。そのため、回動部材３３と支持枠３２との間に隙間はほとんどない。ここで、フィルタ装置２１が閉位置にあるときには、前述した対向面４２は、ケース２０の開放された背面側に対向しており、また、フィルタ装置２１における空気の流れ方向（図２の太い破線矢印参照）における下流側へ窪んでいる。また、このとき、回動部材３３の可動枠３６においてガイド部材３８および突起３９は、支持枠３２の他方側周縁部３２Ｂの近傍にある。
【００６３】
一方、図５の姿勢を基準として、通常位置にある回動部材３３を、その下側部分が図５の手前側へ来つつ上昇するように回動させる。すると、回動部材３３では、回動フィルタ３７が、回動しながら、固定フィルタ３５に接近する。
そして、回動部材３３を目一杯回動させると、回動部材３３は、回動位置に到達する（図１０参照）。回動部材３３が回動位置にあるとき、回動フィルタ３７が、固定フィルタ３５に対向しており、対向状態にある回動フィルタ３７および固定フィルタ３５によって、幅方向から見て水滴状をなす空間Ｃが区画されている（図１０参照）。また、回動部材３３が回動位置まで回動すると、回動部材３３側の各突起３９が、支持枠３２の一方側周縁部３２Ａにおいて幅方向で同じ位置にある貫通孔４１に嵌る（図１０参照）。
【００６４】
ここで、左右の連結軸３４には、トーションばね等の第１付勢部材（図示せず）が取り付けられており、この付勢部材によって、回動部材３３は、通常位置に位置するように常に付勢されている。
図４を参照して、第２フィルタフレーム２５の内側領域には、プリーツフィルタ５０が備えられている。プリーツフィルタ５０の平断面は、交互に反対方向に折り畳まれて連続する山谷形状をなしている。
【００６５】
電気掃除機本体２の運転中、この（完成した）集塵容器１０では、前述した空気流路９に取り込まれた空気が、塵埃を伴ってケース２０の吸込口２２から集塵容器１０の内部に取り込まれる（図２の太い破線矢印参照）。そして、これらの空気および塵埃は、ケース２０の開放された背面側から流れ出て、フィルタ装置２１において、対向面４２における回動フィルタ３７および固定フィルタ３５のいずれかのフィルタ、ならびにプリーツフィルタ５０を、この順番で流れようとする。
【００６６】
この際、空気は、フィルタ装置２１において、いずれのフィルタも通過するが、空気に含まれる比較的大きい塵埃は、回動フィルタ３７および固定フィルタ３５（対向面４２）のいずれかの通気性メッシュによって捕獲され、空気に含まれる比較的小さい塵埃（対向面４２で捕獲しきれなかった微細な塵埃）は、プリーツフィルタ５０によって捕獲される。このように、フィルタ装置２１は、閉位置において、ケース２０の背面側から流れ出る空気は通過させるが、塵埃は捕獲する。前述したように、フィルタ装置２１の対向面４２は、空気の流れ方向下流側（図２の太い破線矢印参照）へ向けて窪んでいるので、捕獲した塵埃を確実に溜めることができる。
【００６７】
ここで、前述したように、回動フィルタ３７および固定フィルタ３５（対向面４２）は、いずれも通気性メッシュで形成されているので、ある程度塵埃を捕獲すると目詰まりする虞がある。そこで、この集塵容器１０では、空気の流れ方向における回動フィルタ３７および固定フィルタ３５（対向面４２）の上流側（図４では左側）に、ティッシュペーパーＰを配置することができる。そうすれば、回動フィルタ３７および固定フィルタ３５（対向面４２）の通気性メッシュに先立って、ティッシュペーパーＰが塵埃を捕獲することができる。これにより、通気性メッシュに先立ってティッシュペーパーＰによって塵埃が捕獲されるので、回動フィルタ３７および固定フィルタ３５の通気性メッシュの早期目詰りを抑制でき、これらのフィルタの塵埃の捕獲性能を長く維持することができる。
【００６８】
そして、フィルタ装置２１を開位置（図５参照）まで回動させてティッシュペーパーＰを捨てれば、ティッシュペーパーＰが捕獲した塵埃も一緒に捨てることができる。
なお、各図において、ティッシュペーパーＰは太い実線または破線で示されている。なお、ティッシュペーパーＰにおいて破線で示されている部分（図５等参照）は、ティッシュペーパーＰの皺を示していることがある。
【００６９】
次に、フィルタ装置２１の開閉について、ティッシュペーパーＰを関連付けて説明する。
まず、図５に示すようにフィルタ装置２１が開く。この状態では、回動部材３３は、通常位置にある。そして、この状態において、第１フィルタフレーム２４の内側（フィルタユニット３１も含む）を完全に覆うようにティッシュペーパーＰをフィルタ装置２１に取り付ける。この際、ティッシュペーパーＰにおいて、連続して凹状をなす対向面４２（固定フィルタ３５および回動フィルタ３７）に対向する部分を窪ませて、この凹状に沿わせるように対向面４２に載せる。
【００７０】
この状態では、ティッシュペーパーＰの周縁部は、全域に亘って、第１フィルタフレーム２４の外側にはみ出ている。また、この状態では、回動部材３３の全ての突起３９にティッシュペーパーＰ（図５では下側部分）がかかっている。
次いで、開位置にあるフィルタ装置２１を回動させて閉じ始める。そのために、ケース２０の位置を固定してフィルタ装置２１を回動させてもよいし、フィルタ装置２１の位置を固定してケース２０を回動させてもよい。要は、フィルタ装置２１がケース２０に対して相対回動すればよい（以降で、フィルタ装置２１を開位置から回動させる全ての場合においても同様）。
【００７１】
図６は、図４とは別の位置における集塵容器１０の右側断面図であって、フィルタ装置２１を完全に閉じる直前の状態を示している。
フィルタ装置２１が回動し、図６に示すように、フィルタ装置２１が完全に閉まる直前（閉位置の直前）の状態になると、フィルタ装置２１側の回動部材３３の左右のガイド軸４０が、ケース２０の内面において幅方向で同じ側にあるガイドレール１９の一端部（図６では上端部）に接触する。
【００７２】
図７は、図６においてフィルタ装置２１を完全に閉じた状態を示している。
フィルタ装置２１がさらに回動し、図７に示すように、完全に閉じて閉位置に至ると、各ガイド軸４０が、対応するガイドレール１９の一端部を乗り越えて、この一端部に嵌り、ガイドレール１９の一端部とケース２０の内面との間に配置される。
このとき、前述したようにケース２０側のフック２８がフィルタ装置２１側のフック受け２９に係合するので、フィルタ装置２１が閉じて閉位置にある状態が維持される（図４参照）。
【００７３】
また、このとき、前述したように第１フィルタフレーム２４の外側にはみ出ていたティッシュペーパーＰの周縁部が、全域に亘って、第１フィルタフレーム２４の周縁部とケース２０の開放された背面側（図７では右側）の周縁部とによって挟まれる。これにより、ティッシュペーパーＰは、固定フィルタ３５および回動フィルタ３７（対向面４２）に対してケース２０の吸込口２２側から沿った状態で、ずれないように位置決めされる。
【００７４】
この状態では、前述したように空気の流れ方向（図２の太い破線矢印参照）における回動フィルタ３７および固定フィルタ３５（対向面４２）の上流側に、ティッシュペーパーＰが配置される。そのため、この（完成した）状態の集塵容器１０を電気掃除機本体２に装着して電気掃除機本体２を運転させると（図２参照）、ティッシュペーパーＰが主として塵埃を捕獲し、ティッシュペーパーＰにおいて吸込口２２側の側面に塵埃が付着する。ここで、ティッシュペーパーＰが対向面４２に沿って窪んだ形状になることから、ティッシュペーパーＰが、捕獲した塵埃を確実に溜めることができる。
【００７５】
そして、ケース２０の内部を透かして見ることで、ティッシュペーパーＰに付着している塵埃の量を把握することができる。ティッシュペーパーＰに塵埃がたくさん付着しているのでそろそろティッシュペーパーＰを新しいものに交換したいのであれば、集塵容器１０を電気掃除機本体２（図２参照）から離脱させ、フィルタ装置２１を開く（閉位置から開位置へ向けて回動させる）。そのために、ケース２０の位置を固定してフィルタ装置２１を回動させてもよいし、フィルタ装置２１の位置を固定してケース２０を回動させてもよい（以降で、フィルタ装置２１を開く全ての場合においても同様）。
【００７６】
図８は、図７においてフィルタ装置２１を開け始めた状態を示している。
図８に示すようにフィルタ装置２１を開け始めると、図８では、ケース２０とフィルタ装置２１との隙間が、上側の領域から広がり始める。これにより、ティッシュペーパーＰの周縁部は、第１フィルタフレーム２４の周縁部とケース２０の背面側周縁部とによって挟まれなくなる。
【００７７】
そして、この際、今までガイドレール１９の一端部（図８では上端部）とケース２０の内面との間にあった（ガイドレール１９の一端部に嵌っていた）各ガイド軸４０が、ケース２０に引っ張られ、ガイドレール１９に嵌った（係合した）状態で、ガイドレール１９に沿ってガイドレール１９の他端部（図８では下端部）側へ移動する。これに伴い、いままで通常位置にあった回動部材３３が連結軸３４を中心に回動し、前述した回動位置へと向かう。
【００７８】
このとき、回動部材３３の回動フィルタ３７が固定フィルタ３５へ接近するように回動する。すると、ティッシュペーパーＰにおいて回動部材３３（回動フィルタ３７）にかかっていた部分が、ティッシュペーパーＰにおいて固定フィルタ３５にかかっていた部分へ接近しようとする。これにより、ティッシュペーパーＰが袋状に変形しようとする。
図９は、図８においてフィルタ装置２１をさらに開いた状態を示している。図１０は、図９とは別の位置における集塵容器１０の右側断面図であって、図９と同じ状態を示している。
【００７９】
図９に示すようにフィルタ装置２１を開位置へ向けてさらに開き、各ガイド軸４０がガイドレール１９の他端部（図９では下端部）に到達すると、回動部材３３は、回動位置に到達する。このとき、図１０に示すように、回動フィルタ３７および固定フィルタ３５が対向状態になり、これらのフィルタによって、前述した水滴状の空間Ｃが区画され、ティッシュペーパーＰは、この空間Ｃの輪郭に沿うような袋状になる。このとき、袋状になったティッシュペーパーＰでは、塵埃Ｔが付着していた面が袋の内側にくるので、ティッシュペーパーＰに捕獲された塵埃Ｔは、ティッシュペーパーＰの袋の内部に溜まる。
【００８０】
ここで、以上のように、フィルタ装置２１を閉位置から開位置へ回動させれば、これに連動して回動フィルタ３７が固定フィルタ３５へ接近するように回動することによって、フィルタ装置２１の対向面４２上のティッシュペーパーＰを自動的に袋状に折り畳むことができ、使い勝手がよい。
また、前述したように、対向面４２に載せられたティッシュペーパーＰが対向面４２に沿って窪んだ形状になることから（図７参照）、回動部材３３（回動フィルタ３７）が固定フィルタ３５へ接近するように回動位置へ回動したときに、ティッシュペーパーＰが袋状になりやすい。
【００８１】
さらに、回動部材３３が回動位置に到達すると、回動部材３３側の各突起３９が、固定フィルタ３５が設けられた支持枠３２の一方側周縁部３２Ａの対応する貫通孔４１に嵌る。換言すれば、貫通孔４１は、回動部材３３（回動フィルタ３７）が固定フィルタ３５に接近するように回動したときに、対応する突起３９に係合される。
そのため、ティッシュペーパーＰにおいて各突起３９にかかっていた部分と貫通孔４１にかかっていた部分とが、重なった状態で突起３９によって貫通孔４１へ押し込まれ、これによって綴じ合わされる。ここで、ティッシュペーパーＰにおいて突起３９および貫通孔４１にかかっていたそれぞれの部分は、ティッシュペーパーＰの袋の口の方に位置する周縁部なので、これらの部分が綴じ合わされることで、ティッシュペーパーＰの袋の口が綴じられる。
【００８２】
このようにティッシュペーパーＰの周縁部が綴じ合わされるので、ティッシュペーパーＰの袋の内側に溜まった塵埃ＴがティッシュペーパーＰの袋の外にこぼれることはない。このようにティッシュペーパーＰを綴じ合わせることを、紙ホッチキスということがある。なお、突起３９が支持枠３２の一方側周縁部３２Ａに設けられて、貫通孔４１が回動部材３３に設けられてもよい。
【００８３】
図１１は、図１０においてフィルタ装置２１が完全に開いた状態を示している。
この状態からフィルタ装置２１をさらに少し開くと、図１１に示すようにフィルタ装置２１が完全に開いて開位置に至る。このとき、各ガイド軸４０（図９参照）がガイドレール１９の他端部（図１１では右端部）から外れてケース２０側に係合しなくなる。これにより、ガイド軸４０を有する回動部材３３（回動フィルタ３７）は、フィルタ装置２１が閉位置にあったときの元の位置（固定フィルタ３５から離れた通常位置）へ戻ることができる。
【００８４】
実際、ガイド軸４０がガイドレール１９の他端部から外れるのに応じて、ガイド軸４０を有する回動部材３３は、回動フィルタ３７が固定フィルタ３５から離れる方向へ回動するように、前述した第１付勢部材（図示せず）によって付勢され、通常位置に確実に戻る。これにより、固定フィルタ３５および回動フィルタ３７（対向面４２）は、再び連続して凹状をなし、ティッシュペーパーＰの袋は、この凹状の中に配置される。
【００８５】
そのため、このティッシュペーパーＰの袋を手で摘んでごみ箱に落したり、集塵容器１０を傾けてティッシュペーパーＰの袋をごみ箱に落したりすれば、ティッシュペーパーＰが捕獲した塵埃Ｔをごみ箱に捨てることができる。
図１０を参照して、このように、回動フィルタ３７は、フィルタ装置２１が閉位置から開位置まで（開位置に至るまでの途中位置であってもよい）回動するのに応じて、固定フィルタ３５へ接近するように回動して、対向面４２上のティッシュペーパーＰを袋状に折り畳む。そのため、ティッシュペーパーＰに捕獲された塵埃Ｔは、ごみ捨ての際に、ティッシュペーパーＰの袋の内部に溜まった状態で捨てられるので、ティッシュペーパーＰから塵埃Ｔが舞い上がることを防止できる。
【００８６】
また、突起３９および貫通孔４１のまとまりを綴じ部４３とすると、綴じ部４３は、回動フィルタ３７が固定フィルタ３５へ接近するように回動したときに、回動フィルタ３７によって袋状に折り畳まれたティッシュペーパーＰの周縁部を、突起３９および貫通孔４１（厳密には、支持枠３２の一方側周縁部３２Ａにおける貫通孔４１の周縁部）で挟んで綴じる。
【００８７】
これにより、ティッシュペーパーＰの袋の内部に溜まった塵埃ＴがティッシュペーパーＰの袋の内部に閉じ込められるので、ティッシュペーパーＰから塵埃Ｔが舞い上がることを確実に防止できる。
（２）第２の例
次に、第２の例に係る集塵容器１０について説明する。なお、第２の例において、第１の例で説明した部材と同様の部材には、同一の参照符号を付し、各部材において重複する部分についての説明を省略する。
【００８８】
図１２は、この発明の第２の例に係る集塵容器１０を左上前方から見た斜視図である。図１３は、集塵容器１０においてフィルタ装置２１をケース２０から離れるように回動させた状態を示す斜視図である。図１４は、図１３において流路部材６０をケース２０側に回動させた状態を示している。
図１２を参照して、第２の例に係る集塵容器１０において、ケース２０は、前側へ向かって細くなるボックス形状である。
【００８９】
また、ケース２０の内面には、前述したガイドレール１９（図５参照）はなく、代わりに、図１３に示すように、内面において吸込口２２と取っ手２３との間の領域に、３つの押さえリブ５１が一体的に設けられている、各押さえリブ５１は、図１３における右側から見て略Ｊ字形状をなしていて、ケース２０の内面からケース２０の内側へ向けて突出している。３つの押さえリブ５１は、幅方向に所定の間隔を隔てて並んでいる。
【００９０】
ケース２０において開放された背面側の周縁部には、略Ｌ字のブロック状をなすＬ字リブ５２が一体的に設けられている。Ｌ字リブ５２は、左右で１対となるように２つ設けられており、ケース２０の背面側の外周縁から外側へはみ出ている。
図１３の状態を基準として、左側のＬ字リブ５２は、ケース２０の背面側の左側周縁部に沿って直線状に延び、ケース２０の背面側の左側外周縁と上側（取っ手２３側）周縁部との角に沿って右側へ折れ曲り、この上側周縁部に沿って取っ手２３の手前の位置まで直線状に延びている。また、図１３の状態を基準として、右側のＬ字リブ５２は、ケース２０の背面側の右側周縁部に沿って直線状に延び、ケース２０の背面側の右側周縁部と上側周縁部との角に沿って左側へ折れ曲り、この上側周縁部に沿って取っ手２３の手前の位置まで直線状に延びている。各Ｌ字リブ５２は、ケース２０の背面側におけるヒンジ２６側の周縁部には設けられていない。
【００９１】
各Ｌ字リブ５２においてケース２０の背面側に露出される側面には、背面側に突出する円柱状の突起５３（被係合部）が複数設けられている。これらの突起５３は、所定の間隔を隔てて並んでおり、全体でまとまった状態で、Ｌ字リブ５２に沿った略Ｌ字状をなしている。
そして、ケース２０には、樹脂製のリングカッタ５４（第１カット部材）が設けられている。リングカッタ５４は、吸込口２２より僅かに小さい円環状であり、その軸方向に所定の厚みを有している。リングカッタ５４は、その外周面が吸込口２２に沿うように、吸込口２２に挿通されている。この状態で、リングカッタ５４は、吸込口２２からケース２０の外側（正面側）に突出した第１位置と、吸込口２２からケース２０の内側（背面側）に突出した第２位置とに移動可能（前密にはヒンジ２６側の軸６８を中心に回動可能）となるようにケース２０によって支持されている。図１３では、第２位置にあるリングカッタ５４が示されている。ここで、リングカッタ５４は、ばね６７（図１６（ｂ）参照）によって第１位置に位置するように常に付勢されている。
【００９２】
フィルタ装置２１では、第１フィルタフレーム２４（後述するメッシュフィルタ５７）におけるケース２０側の周縁部に、略Ｌ字の薄板状をなすＬ字リブ５５が一体的に設けられている。Ｌ字リブ５５は、左右で１対となるように２つ設けられており、第１フィルタフレーム２４の（ケース２０側の）周縁部から外側へはみ出ている。
図１３の状態を基準として、左側のＬ字リブ５５は、第１フィルタフレーム２４の左側周縁部に沿って直線状に延び、第１フィルタフレーム２４の左側周縁部と手前側（フック受け２９側）周縁部との角に沿って右側へ折れ曲り、この手前側周縁部に沿ってフック受け２９の手前の位置まで直線状に延びている。また、図１３の状態を基準として、右側のＬ字リブ５５は、第１フィルタフレーム２４の右側周縁部に沿って直線状に延び、第１フィルタフレーム２４の右側周縁部と手前側周縁部との角に沿って左側へ折れ曲り、この手間側周縁部に沿ってフック受け２９の手前の位置まで直線状に延びている。各Ｌ字リブ５５は、第１フィルタフレーム２４におけるヒンジ２６側の外周縁には設けられていない。
【００９３】
各Ｌ字リブ５５には、Ｌ字リブ５５を肉厚方向に貫通する丸い貫通孔５６（係合部）が複数設けられている。これらの貫通孔５６は、所定の間隔を隔てて並んでおり、全体でまとまった状態で、Ｌ字リブ５５に沿った略Ｌ字状をなしている。
第２の例では、フィルタ装置２１を閉じて閉位置に配置すると、左側のＬ字リブ５５が、ケース２０における左側のＬ字リブ５２に対して全域に亘って接触し、右側のＬ字リブ５５が、右側のＬ字リブ５２に対して全域に亘って接触する。このとき、Ｌ字リブ５５の貫通孔５６にＬ字リブ５２の対応する突起５３が嵌り込む（図示せず）。つまり、フィルタ装置２１が閉位置まで回動したときに突起５３が貫通孔５６に係合される。
【００９４】
第２の例では、第１フィルタフレーム２４には、目の細かなメッシュフィルタ５７（ドットで塗り潰された部分参照）が設けられている。メッシュフィルタ５７は、通気性メッシュで形成されており、枠体形状の第１フィルタフレーム２４の内側領域を全域に亘って塞いでいる。メッシュフィルタ５７は、前述した閉位置にあるフィルタ装置２１においてケース２０の他方面側（背面側）に対向する対向面をなす。
【００９５】
詳しくは、メッシュフィルタ５７は、主面５８と側面５９とによって立体的に形成されている。主面５８は、図１３では手前（右下側）へ向って幅広となりながら第１フィルタフレーム２４の手前側（フック受け２９側）周縁に接続される略台形状の傾斜面である。側面５９は、主面５８の左端、右端および下端（図１３ではヒンジ２６側の端）のそれぞれから主面５８の交差方向に立ち上がって第１フィルタフレーム２４の周縁（前述した手前側周縁は除く）に接続される傾斜面である。
【００９６】
主面５８および側面５９によって、メッシュフィルタ５７は、下側（前述した空気の流れ方向下流側であり、図２の太い破線矢印参照）へ向けて窪んでおり、また、図１３では手前側ヘ向かって幅広くかつ浅くなる塵取形状をなしている。そのため、メッシュフィルタ５７は、捕獲した塵埃を確実に溜めることができる。
ここで、第１フィルタフレーム２４には、樹脂製の細長いビーム部材６２が複数本設けられており、これらのビーム部材６２は、枠体形状の第１フィルタフレーム２４の内側領域に配置されている。第１フィルタフレーム２４では、ビーム部材６２がメッシュフィルタ５７を保持しており、これによって、メッシュフィルタ５７の前述した塵取形状が維持されている。
【００９７】
そして、第１フィルタフレーム２４には、流路部材６０が設けられている。流路部材６０は、右側面視で略Ｊ字をなすように折り曲げられた管状である。流路部材６０の断面は、折り曲げられた流路部材６０の曲率中心側に円弧部を有する略Ｄ字形状をなしている。
流路部材６０は、ヒンジ２６側の一端に入口６０Ａを有し、その反対側の他端に出口６０Ｂを有しており、入口６０Ａおよび出口６０Ｂは、流路部材６０内に連通している。
【００９８】
また、流路部材６０の入口６０Ａ側には、入口６０Ａを縁取る略Ｕ字状の鍔部６１（第２押付部）が一体的に設けられている。鍔部６１は、平坦な板状であり、ゴム等の軟質材で形成されている。一方、流路部材６０の出口６０Ｂ側において出口６０Ｂを縁取る部分を出口部分６４（第１押付部）という。
第１フィルタフレーム２４においてヒンジ２６近傍の内周縁には、幅方向に延びる支持軸６５が設けられており（図１４参照）、この支持軸６５は、流路部材６０の入口６０Ａ側の部分に挿通されている。これにより、流路部材６０は、第１フィルタフレーム２４（フィルタ装置２１）に支持され、支持軸６５（入口６０Ａ側）を中心に回動自在である。詳しくは、流路部材６０は、図１３に示す収納位置と、浮上位置（図１４参照）との間で回動自在である。
【００９９】
収納位置にある流路部材６０は、第１フィルタフレーム２４の内側でメッシュフィルタ５７の塵取形状内（窪み部分）に収納され、メッシュフィルタ５７におけるヒンジ２６側の側面５９に沿っている。このとき、出口部分６４がメッシュフィルタ５７に接触し、出口６０Ｂがメッシュフィルタ５７の主面５８に臨んでいる。図１３では、出口６０Ｂが主面５８に対して上から臨んでいる。また、図１３では、入口６０Ａが上を向いており、入口６０Ａは、ケース２０を回動させた場合におけるリングカッタ５４の回動軌跡上にある。
【０１００】
収納位置にある流路部材６０を、出口６０Ｂ（出口部分６４）が主面５８から離れるように回動させると、流路部材６０は、出口部分６４側でメッシュフィルタ５７から浮き上がり、さらに目一杯回動すると、図１４に示す浮上位置に配置される。このとき、流路部材６０は、第１フィルタフレーム２４の内側から完全にはみ出てケース２０側に位置している。流路部材６０が収納位置にあるときに図１３において主面５８に上から臨んでいた出口６０Ｂは、流路部材６０が浮上位置にあるとき、図１４では上側を向いており、主面５８に臨んでいない。また、出口部分６４は、メッシュフィルタ５７から浮いていてメッシュフィルタ５７に接触していない。
【０１０１】
ここで、流路部材６０と、第１フィルタフレーム２４において収納位置にある流路部材６０に対向するヒンジ２６側の部分とのそれぞれには、互いに反発する磁石６３（第２付勢部材）が設けられている。そのため、これらの磁石６３が反発することで、流路部材６０は、浮上位置へ向かうように、出口部分６４がメッシュフィルタ５７から離れる方向へ常に付勢されている。
【０１０２】
そして、図１４に示すようにフィルタ装置２１が開いていて（開位置にあって）流路部材６０が浮上位置にある状態で、今度はフィルタ装置２１を閉じて閉位置に配置する（後述する図１８参照）。すると、いままで浮上位置にあった流路部材６０は、ケース２０の内面において吸込口２２を縁取る部分に当接され、これにより、前述した磁石６３の反発力に抗して収納位置まで回動する（図１９（ｂ）参照）。このとき、流路部材６０では、入口６０Ａが、リングカッタ５４および吸込口２２に対向して連通する（図１９（ｂ）参照）。
【０１０３】
この状態で、図１４に示すように、今度はフィルタ装置２１を閉位置から開位置へ向けて回動させて開くと、流路部材６０は、ケース２０の内面から離れてケース２０に当接されなくなるので、前述した磁石６３同士の反発力に付勢されることによって浮上位置側へ回動する。
そして、第２の例の集塵容器１０では、吸込口２２から流入した空気が、第１フィルタフレーム２４のメッシュフィルタ５７を通過してから第２フィルタフレーム２５のプリーツフィルタ５０（図２参照）を通過するようになっており、この空気に含まれる塵埃によってメッシュフィルタ５７が目詰りしすい。
【０１０４】
そこで、第１の例と同様に、第２の例でも、集塵容器１０での空気の流れ方向（図２の太い破線矢印参照）におけるメッシュフィルタ５７の上流側にティッシュペーパーをセットできるようになっている。
次に、ティッシュペーパーをセットする手順および外す手順について説明する。
まず、フィルタ装置２１を図１４のように開く。すると、流路部材６０が収納位置から浮上位置側に浮上する。なお、このとき、流路部材６０は、収納位置（メッシュフィルタ５７）から浮上していればよく、必ずしも浮上位置に配置されている必要はない。
【０１０５】
次に、図１４の姿勢を基準として、メッシュフィルタ５７に上から（ケース２０側から）ティッシュペーパーＰをセットする。
図１５は、図１３において流路部材６０がティッシュペーパーＰを押さえ付けている状態を示している。図１６において、（ａ）は、図１５においてフィルタ装置２１が閉じた状態における集塵容器１０の正面図であり、（ｂ）は、（ａ）のＡ−Ａ矢視断面図である。
【０１０６】
ティッシュペーパーＰのセット（装着）に関し、図１５を参照して、ティッシュペーパーＰにおいてヒンジ２６側の部分が、メッシュフィルタ５７から浮上している流路部材６０とメッシュフィルタ５７との隙間に入るようにする。また、ティッシュペーパーＰにおいてヒンジ２６側を除く周縁部が、第１フィルタフレーム２４の左右のＬ字リブ５５（図１３参照）からはみ出るようにする。
【０１０７】
このようにセットされたティッシュペーパーＰは、メッシュフィルタ５７を全域に亘って覆う。そして、ティッシュペーパーＰにおいてメッシュフィルタ５７を覆っている部分は、メッシュフィルタ５７の塵取形状（窪み部分）に沿って窪んでいる。
この状態でフィルタ装置２１を閉じると、図１６（ａ）に示すように、第１フィルタフレーム２４の外側にはみ出ていたティッシュペーパーＰの周縁部が、全域（ヒンジ２６側を除く）に亘って、第１フィルタフレーム２４側の左右のＬ字リブ５５（図１３参照）とケース２０側の左右のＬ字リブ５２とによって挟まれる。
【０１０８】
これにより、ティッシュペーパーＰは、メッシュフィルタ５７の塵取形状に沿って窪んだ状態（図１５参照）で、ずれないように位置決めされる。前述したように、このとき、Ｌ字リブ５５の貫通孔５６にＬ字リブ５２の突起５３が嵌り込んでいるので(図１３参照)、ティッシュペーパーＰの周縁部において貫通孔５６に接触している部分は、突起５３によって貫通孔５６に押し込まれている（図示せず）。そのため、ティッシュペーパーＰは、強固に位置決めされることになる。
【０１０９】
また、図１６（ｂ）に示すように、フィルタ装置２１を閉じると流路部材６０が収納位置に配置され、その際、流路部材６０では、出口部分６４が、メッシュフィルタ５７に装着されたティッシュペーパーＰをメッシュフィルタ５７に押し付ける。これによっても、ティッシュペーパーＰが位置決めされる。
この状態では、前述した空気の流れ方向（図２の太い破線矢印参照）におけるメッシュフィルタ５７の上流側に、ティッシュペーパーＰが配置される。そのため、この（完成した）状態の集塵容器１０を電気掃除機本体２に装着して電気掃除機本体２を運転させると（図２参照）、ティッシュペーパーＰが主として塵埃を捕獲し、ティッシュペーパーＰにおいてメッシュフィルタ５７に沿って窪んでいる部分に、塵埃が溜まる。
【０１１０】
これにより、メッシュフィルタ５７の通気性メッシュに先立って、ティッシュペーパーＰが塵埃を捕獲することができるので、通気性メッシュの早期目詰りを抑制できる。また、メッシュフィルタ５７に装着されたティッシュペーパーＰがメッシュフィルタ５７の窪み部分に沿って窪んだ形状になることから、ティッシュペーパーＰは、捕獲した塵埃を確実に溜めることができる。
【０１１１】
そして、集塵容器１０を電気掃除機本体２（図２参照）から離脱させ、図１５に示すようにフィルタ装置２１を開くと、ティッシュペーパーＰは、Ｌ字リブ５５およびＬ字リブ５２に挟まれなくなり、さらに、通常位置から浮上した流路部材６０によってメッシュフィルタ５７に押し付けられなくなる。これにより、ティッシュペーパーＰの位置決めが解除される。そのため、この状態で集塵容器１０を傾けると、塵埃を捕獲したティッシュペーパーＰを、塵埃とともにごみ箱に落下させて捨てることができる。
【０１１２】
ただし、この場合、フィルタ装置２１を開くと、その弾みで、ティッシュペーパーＰの窪みに溜まった塵埃が飛散する虞がある。
そこで、第２の例では、２枚のティッシュペーパーを用いることで、ティッシュペーパーが捕獲した塵埃の飛散を防止している。ここで、メッシュフィルタ５７に沿わせた１枚目のティッシュペーパーの符号をＰとし、２枚目の別のティッシュペーパーには符号Ｑを付けることで、２枚のティッシュペーパーを区別する。
【０１１３】
この場合、まず、図１５に示すように、前述した手順で１枚目のティッシュペーパーＰを、メッシュフィルタ５７の窪み部分に沿うようにセット（装着）する。
図１７は、図１５において流路部材６０に別のティッシュペーパーＱを載せた状態を示している。
次いで、図１７に示すように、流路部材６０を全て覆うように２枚目のティッシュペーパーＱをセットする。この際、ティッシュペーパーＱにおいてヒンジ２６側の部分が流路部材６０の入口６０Ａのほぼ全域を塞ぐようにする。また、ティッシュペーパーＱにおいてヒンジ２６側を除く周縁部が、ティッシュペーパーＰにおいてヒンジ２６側を除く周縁部に対して、ほぼ全域に亘って重なるようにする。
【０１１４】
このとき、ティッシュペーパーＱでは、ヒンジ２６側の部分が流路部材６０の鍔部６１に受け止められ、ティッシュペーパーＰにおいてメッシュフィルタ５７に沿って窪んでいる部分とティッシュペーパーＱとの間に、流路部材６０が配置される空間Ｄが形成される。
図１８は、図１７においてフィルタ装置２１が閉じた状態を示している。図１９において、（ａ）は、図１８の状態における集塵容器１０の正面図であり、（ｂ）は、（ａ）のＢ−Ｂ矢視断面図である。
【０１１５】
そして、フィルタ装置２１を閉じて閉位置に配置する。すると、図１８に示すように、第１フィルタフレーム２４（図１３参照）の外側にはみ出ていたティッシュペーパーＰおよびＱのそれぞれの周縁部が、全域（ヒンジ２６側を除く）に亘って、第１フィルタフレーム２４側の左右のＬ字リブ５５（図１３参照）とケース２０側の左右のＬ字リブ５２とによって挟まれる。
【０１１６】
また、ティッシュペーパーＱにおいて収納位置の流路部材６０の鍔部６１に受け止められている（かかっている）部分（図１７参照）の全域は、図１９（ｂ）に示すように、鍔部６１によって、ケース２０の内面に押し付けられている。また、収納位置の流路部材６０の出口部分６４は、メッシュフィルタ５７に装着されたティッシュペーパーＰをメッシュフィルタ５７に押し付けている。
【０１１７】
以上により、ティッシュペーパーＰおよびＱは、前述した空間Ｄが形成された状態で、ずれないように位置決めされる。そして、この状態では、流路部材６０が、ティッシュペーパーＰと別のティッシュペーパーＱとの間に配置されることとなり、これら２枚のティッシュペーパーＰおよびＱが、流路部材６０が配置される内部空間Ｄを有する袋状になる。この際、流路部材６０がティッシュペーパーの袋Ｈをメッシュフィルタ５７およびケース２０の内面に押し付けるので、ティッシュペーパーの袋Ｈは、袋状の形状を保ったまま位置決めされる。
【０１１８】
このとき、前述したようにＬ字リブ５５の貫通孔５６にＬ字リブ５２の突起５３が嵌り込んでいるので（図１３参照）、ティッシュペーパーＰおよびＱの互いに重なっている周縁部において貫通孔５６に接触している部分は、突起５３によって貫通孔５６に押し込まれている（図示せず）。そのため、ティッシュペーパーＰおよびＱは、強固に位置決めされることになる。
【０１１９】
また、ティッシュペーパーＰおよびＱの互いに重なっている周縁部（ヒンジ２６側を除く）は、各突起５３によって貫通孔５６に押し込まれることで綴じ合わされる（紙ホッチキスされる）。ここで、突起５３および貫通孔５６のまとまりを綴じ部６６とすると（図１３参照）、綴じ部６６は、フィルタ装置２１が閉位置まで回動したときに、ティッシュペーパーＰおよびＱの互いに重なっている周縁部を、突起５３および貫通孔５６（厳密には、Ｌ字リブ５５における貫通孔５６の周縁部であり、図１３参照）で挟んで綴じる。
【０１２０】
このように綴じることによって、ティッシュペーパーＰおよびＱによって、前述した袋Ｈが完成し、ティッシュペーパーＰとＱとが分離しないような状態となる。なお、突起５３がフィルタ装置２１側のＬ字リブ５５に設けられて、貫通孔５６がケース２０側のＬ字リブ５２に設けられてもよい（図１３参照）。
また、このとき、ケース２０の内面に設けられた押さえリブ５１が、流路部材６０の鍔部６１に受け止められた２枚目のティッシュペーパーＱにおいて取っ手２３側のケース２０の内面に対向している部分を、ケース２０の内面から離れるように押さえつけている。これにより、ケース２０において押さえリブ５１が設けられた内面とティッシュペーパーＱとの間には、押さえリブ５１分の厚みを有する空間Ｅが確保される。空間Ｅは、メッシュフィルタ５７につながっている。
【０１２１】
以上で、２枚のティッシュペーパーＰおよびＱのセットが完了し、集塵容器１０が完成する。この時点では、ケース２０のリングカッタ５４は、第１位置にあって、吸込口２２からケース２０の外側（正面側）に突出している。
次に、このように完成した集塵容器１０を電気掃除機本体２（図２参照）に装着する。
図２０は、電気掃除機本体２の右側断面図であって、図１９（ｂ）の状態における集塵容器１０が電気掃除機本体２に装着される途中の状態を示している。図２１は、図２０において集塵容器１０が電気掃除機本体２に装着された状態を示している。
【０１２２】
図２０を参照して、前述したように、集塵容器１０は、電気掃除機本体２の天面２Ａの前側部分を開放することによって、電気掃除機本体２に対して上から装着できる。そのため、まず、集塵容器１０を天面２Ａの開放された前側部分の真上に配置し、その後下降させる（太線矢印参照）。
ここで、第１位置にあるリングカッタ５４の真下には、電気掃除機本体２の前壁２Ｂの上端が位置している。そのため、このまま集塵容器１０を下降させると、第１位置のリングカッタ５４の前端縁が、前壁２Ｂの上端部に上から当接され、これに応じて、後側（第２位置側）へ移動し始める。ここで、第１位置のリングカッタ５４の前端縁は、幅方向から見て前上側へ傾斜しているから、リングカッタ５４の前端縁に前壁２Ｂの上端部が当接すると、その当接力がリングカッタ５４に対して効果的に後側へ作用する。そのため、リングカッタ５４は、円滑に後側へスライドする。
【０１２３】
そして、図２１に示すように、集塵容器１０の下降が完了し、集塵容器１０が電気掃除機本体２に対して完全に装着されると、リングカッタ５４は、第２位置に到達する。このとき、電気掃除機本体２の前壁２Ｂはリングカッタ５４に前から当接しており、リングカッタ５４は、第２位置に保持される。
ここで、リングカッタ５４が第１位置から第２位置へ向けて後側へ移動するとき、リングカッタ５４は、前述したように吸込口２２からケース２０の内側へ突出して、流路部材６０の入口６０Ａに挿通される。これにより、リングカッタ５４の内部（換言すれば吸込口２２）と、流路部材６０の内部とが連通する。
【０１２４】
そして、リングカッタ５４が入口６０Ａに挿通される際、リングカッタ５４は、前述したように（流路部材６０の鍔部６１に受け止められている）ティッシュペーパーＱにおいて入口６０Ａにかかっている部分Ｒをそれ以外の部分から切断する。これにより、入口６０ＡがティッシュペーパーＱによって塞がれなくなるので、後述するように吸込口２２からケース２０内に取り込まれた塵埃および空気を、入口６０Ａから流路部材６０内を円滑に通過させてティッシュペーパーの袋Ｈの内部に流入させることができる。
【０１２５】
ここで、入口６０Ａ側の鍔部６１が、受け止めているティッシュペーパーＱをケース２０の内面に押し付けていることから、ティッシュペーパーＱにおいて入口６０Ａにかかっている部分Ｒの位置が安定しているので、リングカッタ５４は、この部分Ｒを円滑に切断することができる。
特に、鍔部６１が、軟質材で形成されていることから、受け止めたティッシュペーパーＱをケース２０の内面に密着させるので、ティッシュペーパーＱにおいて入口６０Ａにかかっている部分Ｒがずれにくくなり（鍔部６１がこの部分Ｒの滑り止めになり）、リングカッタ５４は、この部分Ｒを円滑に切断することができる。なお、切断された部分Ｒは、前述したティッシュペーパーＰとＱとの空間Ｄに収容される。
【０１２６】
この状態で電気掃除機本体２（図２参照）を運転させることができる。
図２２は、電気掃除機本体２の運転中における集塵容器１０の右側断面図である。
電気掃除機本体２を運転させると、図２２において破線矢印で示すように、電気掃除機本体２内に吸い込まれた空気および塵埃Ｔが、吸込口２２（リングカッタ５４）から集塵容器１０のケース２０内に取り込まれる。このようにケース２０内に取り込まれた塵埃Ｔは、入口６０Ａから流路部材６０内に入った後に出口６０Ｂからティッシュペーパーの袋Ｈの内部（ティッシュペーパーＰとＱとの空間Ｄ）に流入し、このとき、ティッシュペーパーＰまたはＱに捕獲されてティッシュペーパーの袋Ｈの内部に溜まる。
【０１２７】
ここで、流路部材６０において軟質材で形成された鍔部６１が、ティッシュペーパーＱをケース２０の内面に対して隙間なく押し付けている（密着させている）。これにより、吸込口２２からケース２０内に取り込まれた塵埃Ｔおよび空気がケース２０の内面とティッシュペーパーＱとの隙間に逃げ込むことを防止し、これらの塵埃Ｔおよび空気を、確実に入口６０Ａから流路部材６０内を通過させてティッシュペーパーの袋Ｈの内部に流入させることができる。
【０１２８】
そして、図２２では、袋Ｈの内部空間Ｄに流入する空気の流れを３本の破線矢印で示しており、最下位の破線矢印で示す空気は、ヒンジ２６側の側面５９におけるメッシュフィルタ５７に沿っている部分のティッシュペーパーＰと、この側面５９とを、この順番で通過し、その後、プリーツフィルタ５０を通過して電動送風機１１（図２参照）へと向かう。
【０１２９】
一方、最上位の破線矢印と最下位の破線矢印との間にある破線矢印で示す空気は、主面５８におけるメッシュフィルタ５７に沿っている部分のティッシュペーパーＰと、主面５８とを、この順番で通過し、その後、プリーツフィルタ５０を通過して電動送風機１１（図２参照）へと向かう。
そして、最上位の破線矢印で示す空気は、図２２では上昇し、ティッシュペーパーＱにおいて押さえリブ５１に押されている部分を通過して、前述した空間Ｅに流入し、その後、主面５８（メッシュフィルタ５７）を通過してから、プリーツフィルタ５０を通過して電動送風機１１（図２参照）へと向かう。
【０１３０】
これにより、ティッシュペーパーの袋Ｈの内部に流入した空気は、ティッシュペーパーＰを通過してメッシュフィルタ５７に向かう第１の流路だけでなく、別のティッシュペーパーＱを通過した後に前記空間Ｅを経由してメッシュフィルタ５７に向かう第２の流路も流れることができる。
そのため、ティッシュペーパーＰだけでなく、別のティッシュペーパーＱも、流れる空気に乗った塵埃を捕獲することができるので、ティッシュペーパーＰおよびＱによる塵埃の捕獲効率の向上を図ることができる。特に、この場合、塵埃が通過するティッシュペーパーの面積が約２倍になるので、ティッシュペーパーＰだけで塵埃を捕獲する場合に比べて、約２倍の量の塵埃を一度に捕獲することができる。そして、その分、集塵容器１０内において空気を円滑に流すことができるので、前述した吸引力を持続させつつ、塵埃の吸込量を増やすことができる。
【０１３１】
そして、このようにティッシュペーパーＰおよびＱによって捕獲された塵埃Ｔは、ティッシュペーパーＰおよびＱによって構成された袋Ｈの内部（前述した空間Ｄ）に溜まる。
次に、袋Ｈに溜まった塵埃Ｔを捨てる手順について説明する。
図２３は、塵埃が溜まった集塵容器１０においてフィルタ装置２１をケース２０から離れるように回動させた状態を示している。図２４は、図２３における集塵容器１０の左側断面図である。図２５は、図２４において集塵容器１０から塵埃Ｔが捨てられる状態を示している。図２６は、図２５の状態における集塵容器１０の斜視図である。
【０１３２】
まず、図２３に示すようにフィルタ装置２１を開く。この際、ケース２０の下側にフィルタ装置２１が位置するようにして、ケース２０の取っ手２３を掴んでボタン２７を押すと、フィルタ装置２１は、ケース２０から下側へ離れるように回動して開く。
フィルタ装置２１を開いた瞬間では、図２４に示すように、袋Ｈを構成するティッシュペーパーＰにおいてヒンジ２６側の部分が、収納位置にある流路部材６０の出口部分６４によってメッシュフィルタ５７へ押し付けられている。
【０１３３】
しかし、フィルタ装置２１を開いた瞬間からすぐに、図２５に示すように、前述した２つの磁石６３同士の反発力によって流路部材６０が速やかに浮上位置へ向けて回動するので、流路部材６０の出口部分６４が、メッシュフィルタ５７に装着されたティッシュペーパーＰをメッシュフィルタ５７に押し付けなくなる。また、フィルタ装置２１が開位置にあるときには、フィルタ装置２１側の流路部材６０がケース２０の内面から離れるので、鍔部６１が、ティッシュペーパーＱをケース２０の内面に押し付けなくなる。
【０１３４】
これにより、２枚のティッシュペーパーＰおよびＱによる袋Ｈが集塵容器１０に位置決めされなくなるので、図２６を参照して、内部に塵埃Ｔが溜まったティッシュペーパーの袋Ｈを自重によって円滑に集塵容器１０から落下させ、その先のごみ箱に捨てることができる。
ここで、ティッシュペーパーＰまたはＱに捕獲された塵埃Ｔは、ごみ捨ての際に、ティッシュペーパーの袋Ｈの内部に溜まった状態で捨てられるので、ティッシュペーパーＰまたはＱから塵埃Ｔが舞い上がることを防止できる。
【０１３５】
そして、前述したように、フィルタ装置２１が閉位置まで回動したときに（図１８および図１９参照）、綴じ部６６（図１３参照）は、ティッシュペーパーＰの周縁部と別のティッシュペーパーＱの周縁部とを綴じる。ここで、ティッシュペーパーＰの周縁部とティッシュペーパーＱの周縁部との接合部には、符号７８が付されている。
このように綴じることにより、これらの２枚のティッシュペーパーＰおよびＱによる袋Ｈの内部に溜まった塵埃が袋Ｈの内部に閉じ込められるので、ティッシュペーパーＰまたはＱから塵埃Ｔが舞い上がることを確実に防止できる。
（３）第３の例
最後に、第３の例に係る集塵容器１０について説明する。なお、第３の例において、第１および第２の例で説明した部材と同様の部材には、同一の参照符号を付し、各部材において重複する部分についての説明を省略する。
【０１３６】
図２７は、この発明の第３の例に係る集塵容器１０を右上前方から見た斜視図である。
図２７を参照して、第３の例に係る集塵容器１０において、ケース２０は、前側へ向かって細くなるボックス形状であるが、前後方向に薄いので、ボックス形状というよりも、前側へ窪む皿状といえる（後述する図２８も参照）。
図２８は、集塵容器１０においてフィルタ装置２１をケース２０から離れるように回動させた状態を示す斜視図である。
【０１３７】
図２８を参照して、ケース２０において開放された背面側の周縁部では、左側、右側、取っ手２３側およびヒンジ２６側のそれぞれの周縁部に、外側へ突出する板状の突出部７０が一体的に設けられている。各突出部７０の背面側には、背面側へ突出する突起７１（被係合部）が一体的に設けられている。
また、ケース２０の内面には、吸込口２２を縁取りつつ背面側へ突出する円環状のカット部７２（第２カット部材）が一体的に設けられている。カット部７２の周壁は、背面側へ向かって細くなる円錐状である。
【０１３８】
第３の例では、第１フィルタフレーム２４が、ケース２０側と第２フィルタフレーム２５側とで２分割されている。また、略四角形をなす枠体形状の第１フィルタフレーム２４の内側には、空気の流れ方向における下流側へ窪む対向面８０が設けられている。対向面８０は、ここでは、プリーツフィルタ５０によって区画された面であるが、第２の例と同様に、通気性メッシュで形成されていてもよい。対向面８０は、フィルタ装置２１が閉位置にあるときに、ケース２０の開放された背面側に対向する。このように窪んだ対向面８０は、捕獲した塵埃を確実に溜めることができる。
【０１３９】
そして、第１フィルタフレーム２４においてケース２０側の周縁部（換言すれば、対向面８０の周縁部）では、左側、右側およびヒンジ２６側のそれぞれの周縁部に、外側へ突出する板状の突出部７３が一体的に設けられている。各突出部７３には、突出部７３を肉厚方向に貫通する貫通孔７４（係合部）が形成されている。
そして、第１フィルタフレーム２４においてケース２０側の部分の内側（つまり、前述した対向面８０の窪み部分）には、バスケット部７５が配置されている。バスケット部７５は、ケース２０側（ケース２０の背面側に対向する位置）に大きな開口７６を有する樹脂製の籠であり、全体で幅広のバスタブ状（略直方体形状）をなしている。バスケット部７５は、第１フィルタフレーム２４の内側部分（詳しくは、対向面８０の窪み部分）にほぼぴったりと収まっている。バスケット部７５において開口７６を縁取る周縁部においてヒンジ２６とは反対側の周縁部には、前述した突出部７３が一体的に設けられている。この突出部７３にも貫通孔７４が形成されている。なお、突出部７３（貫通孔７４）は、バスケット部７５の周縁部だけに設けられてもよいし、第１フィルタフレーム２４の対向面８０の周縁部だけに設けられてもよい。また、突起７１がフィルタ装置２１側に設けられて、貫通孔７４がケース２０側に設けられてもよい。
【０１４０】
ここで、フィルタ装置２１を閉位置まで回動させると、ケース２０の背面側と対向面８０との間にバスケット部７５が位置し、第１フィルタフレーム２４およびバスケット部７５の各突出部７３の貫通孔７４に対して、ケース２０側で対応する突起７１が嵌り込む。換言すれば、各突起７１は、対応する貫通孔７４に係合される。
そして、第３の例でも、第２の例と同様に、２枚のティッシュペーパーＰ、Ｑをセットすることができる。
【０１４１】
そのために、まず、図２８に示すようにフィルタ装置２１を開いて、バスケット部７５の開口７６を上に向ける。
図２９は、図２８の状態にある集塵容器１０においてバスケット部７５にティッシュペーパーＰをセットした状態を示している。
次いで、図２９に示すように、１枚目のティッシュペーパーＰを、バスケット部７５の内面に沿うようにバスケット部７５にセット（装着）する。このとき、ティッシュペーパーＰは、バスケット部７５の内部形状に沿い、図２９では下側へ窪む凹状をなしている。つまり、ティッシュペーパーＰは、バスケット部７５に立体的に装着される。ここで、ティッシュペーパーＰにおいて周縁部（端部）が全域に亘って開口７６からはみ出るようにする。
【０１４２】
図３０は、図２９の状態にある集塵容器１０においてバスケット部７５に別のティッシュペーパーＱを追加でセットした状態を示している。
この状態で、次に、図３０に示すように、２枚目のティッシュペーパーＱを、１枚目のティッシュペーパーＰの上に重なるようにバスケット部７５に装着する。このとき、ティッシュペーパーＱの周縁部が全域に亘ってティッシュペーパーＰの周縁部と重なるようにする。すると、ティッシュペーパーＱは、全体で略水平に平坦となり、バスケット部７５の開口７６（換言すれば、ティッシュペーパーＰにおいて下側へ窪む凹部の開口）に上から蓋をしたような状態となる。
【０１４３】
最後に、フィルタ装置２１を閉位置まで回動させて閉じる。
図３１において、（ａ）は、図３０においてフィルタ装置２１が閉じた状態における集塵容器１０の正面図であり、（ｂ）は、（ａ）のＣ−Ｃ矢視断面図である。
図３１に示すようにフィルタ装置２１を閉じると、ティッシュペーパーＱおよびティッシュペーパーＰにおいて互いに重なっている周縁部が、全域に亘って、ケース２０の突出部７０と第１フィルタフレーム２４およびバスケット部７５の突出部７３（図２８参照）とによって挟まれる。このとき、ティッシュペーパーＱおよびティッシュペーパーＰにおいて互いに重なっている周縁部は、突出部７０の突起７１によって突出部７３の貫通孔７４（図２８参照）へと押し込まれ、これによって綴じ合わされる（紙ホッチキスされる）。
【０１４４】
ここで、突起７１および貫通孔７４のまとまりを綴じ部７９（図２８参照）とすると、綴じ部７９は、フィルタ装置２１が閉位置まで回動したときに、ティッシュペーパーＰおよびＱの互いに重なっている周縁部を、突起７１および貫通孔７４（厳密には、突出部７３における貫通孔７４の周縁部）で挟んで綴じる。
その結果、図３１（ｂ）を参照して、ティッシュペーパーＱおよびティッシュペーパーＰによって、バスケット部７５に相似する形状をなす袋Ｈが形成される。この袋Ｈは、ケース２０の背面側（内面）と対向面８０との間に存在する。
【０１４５】
ここで、フィルタ装置２１を閉じて開位置から閉位置まで回動させたとき、ケース２０のカット部７２が、ティッシュペーパーＱにおいて開口７６を覆っている部分に突き刺さって、この部分に穴７７をあける。これにより、この穴７７を介して、吸込口２２が袋Ｈの内部に連通する。そのため、後述するように、吸込口２２からケース２０内に取り込まれた塵埃を、カット部７２があけた穴７７を通過させることで、ティッシュペーパーの袋Ｈの内部に確実に溜めることができる。
【０１４６】
フィルタ装置２１が閉位置ある状態の集塵容器１０を電気掃除機本体２（図２参照）に装着して電気掃除機本体２を運転する。すると、電気掃除機本体２に吸い込まれた空気は、吸込口２２から、前述した穴７７を介して、ティッシュペーパーの袋Ｈの内部に流入し、その後、ティッシュペーパーＰを通過した後に、プリーツフィルタ５０を経て電動送風機１１（図２参照）側へ向かう。
【０１４７】
そして、空気に含まれる塵埃は、対向面８０に先立って、袋ＨのティッシュペーパーＰによって捕獲され、袋Ｈの内部に溜まる。これにより、対向面８０におけるフィルタ装置２１（ここでは、プリーツフィルタ５０）の早期目詰りを抑制できる。
次に、袋Ｈに溜まった塵埃を捨てる手順について説明する。
図３２は、図３１の状態にある集塵容器１０においてフィルタ装置２１をケース２０から離れるように回動させた状態を示す斜視図である。図３３は、図３２の状態にある集塵容器１０の左側断面図であって、集塵容器１０から塵埃Ｔが捨てられる状態を示している。
【０１４８】
まず、図３２に示すようにフィルタ装置２１を開く。この際、ケース２０の下側にフィルタ装置２１が位置するようにして、ケース２０の取っ手２３を掴んでボタン２７（図３参照）を押すと、フィルタ装置２１は、ケース２０から下側へ離れるように回動して開く。
この状態では、袋Ｈがバスケット部７５に嵌った状態になっている。そして、フィルタ装置２１を図３３に示すように傾けると、袋Ｈは、その自重によってバスケット部７５から外れて落下する。そのため、袋Ｈの落下する先にごみ箱があれば、塵埃Ｔが詰まったティッシュペーパーの袋Ｈをごみ箱に捨てることができる。特に、ティッシュペーパーＰに捕獲された塵埃Ｔは、ごみ捨ての際に、ティッシュペーパーの袋Ｈの内部に溜まった状態で捨てられるので、ティッシュペーパーＰまたはＱから塵埃Ｔが舞い上がることを防止できる。
【０１４９】
ここで、前述したように、フィルタ装置２１が閉位置まで回動したときに、綴じ部７９（図２８参照）は、ティッシュペーパーＰの周縁部とティッシュペーパーＱの周縁部とを綴じる（図３１参照）。ここで、ティッシュペーパーＰの周縁部とティッシュペーパーＱの周縁部との接合部には、符号７８が付されている（図３２参照）。
このように綴じることにより、これらの２枚のティッシュペーパーによる袋Ｈの内部に溜まった塵埃Ｔが袋Ｈの内部に閉じ込められるので、ティッシュペーパーＰまたはＱから塵埃Ｔが舞い上がることを確実に防止できる。
【０１５０】
この発明は、以上説明した実施形態に限定されるものではなく、請求項記載の範囲内において種々の変更が可能である。
【符号の説明】
【０１５１】
２      電気掃除機本体
１０    電気掃除機用集塵容器
１９    ガイドレール
２０    ケース
２１    フィルタ装置
２２    吸込口
２６    ヒンジ
３４    連結軸
３５    固定フィルタ
３７    可動フィルタ
３９    突起
４０    ガイド軸
４１    貫通孔
４２    対向面
４３    綴じ部
５１    押さえリブ
５３    突起
５４    リングカッタ
５６    貫通孔
５７    メッシュフィルタ
６０    流路部材
６０Ａ  入口
６０Ｂ  出口
６１    鍔部
６３    磁石
６４    出口部分
６６    綴じ部
７１    突起
７２    カット部
７４    貫通孔
７５    バスケット部
７６    開口
７７    穴
７９    綴じ部
８０    メッシュフィルタ
Ｅ      空間
Ｐ      ティッシュペーパー
Ｑ      ティッシュペーパー
Ｒ      部分
【図１】
0005479154.tif 000002
【図２】
0005479154.tif 000003
【図３】
0005479154.tif 000004
【図４】
0005479154.tif 000005
【図５】
0005479154.tif 000006
【図６】
0005479154.tif 000007
【図７】
0005479154.tif 000008
【図８】
0005479154.tif 000009
【図９】
0005479154.tif 000010
【図１０】
0005479154.tif 000011
【図１１】
0005479154.tif 000012
【図１２】
0005479154.tif 000013
【図１３】
0005479154.tif 000014
【図１４】
0005479154.tif 000015
【図１５】
0005479154.tif 000016
【図１６】
0005479154.tif 000017
【図１７】
0005479154.tif 000018
【図１８】
0005479154.tif 000019
【図１９】
0005479154.tif 000020
【図２０】
0005479154.tif 000021
【図２１】
0005479154.tif 000022
【図２２】
0005479154.tif 000023
【図２３】
0005479154.tif 000024
【図２４】
0005479154.tif 000025
【図２５】
0005479154.tif 000026
【図２６】
0005479154.tif 000027
【図２７】
0005479154.tif 000028
【図２８】
0005479154.tif 000029
【図２９】
0005479154.tif 000030
【図３０】
0005479154.tif 000031
【図３１】
0005479154.tif 000032
【図３２】
0005479154.tif 000033
【図３３】
0005479154.tif 000034